(57)【特許請求の範囲】
【請求項１】
複数のマイクロパターンを含むパターン層と、
前記パターン層に接する第１面と、前記第１面とは反対側の第２面とを含み、光透過性を有するレンズ層であって、前記レンズ層は、複数のマイクロレンズと撥液部とを前記第２面上に含み、前記パターン層と前記レンズ層とが積み重なる方向において、前記各マイクロレンズには互いに異なる前記マイクロパターンが１つずつ重なり、前記複数のマイクロレンズは、前記各マイクロレンズが拡大した前記マイクロパターンの像の集合によって第１情報を形成するように構成され、前記撥液部は、前記第２面のうち、前記撥液部以外の部分よりも高い撥液性を有し、前記撥液部上で撥液された液体の外形によって第２情報を形成するように構成された前記レンズ層と、を備え、
光透過性を有し、複数の前記マイクロレンズの一部を覆うとともに、第３情報を含むインキ部をさらに備え、
前記第３情報は、第１の単語であり、
前記第２情報は、前記第３情報に付加されることによって、前記第３情報とともに前記第１の単語とは異なる第２の単語を第４情報として形成する
表示体。
【請求項２】
複数のマイクロパターンを含むパターン層と、
前記パターン層に接する第１面と、前記第１面とは反対側の第２面とを含み、光透過性を有するレンズ層であって、前記レンズ層は、複数のマイクロレンズと撥液部とを前記第２面上に含み、前記パターン層と前記レンズ層とが積み重なる方向において、前記各マイクロレンズには互いに異なる前記マイクロパターンが１つずつ重なり、前記複数のマイクロレンズは、前記各マイクロレンズが拡大した前記マイクロパターンの像の集合によって第１情報を形成するように構成され、前記撥液部は、前記第２面のうち、前記撥液部以外の部分よりも高い撥液性を有し、前記撥液部上で撥液された液体の外形によって第２情報を形成するように構成された前記レンズ層と、を備え、
光透過性を有し、複数の前記マイクロレンズの一部を覆うとともに、第３情報を含むインキ部をさらに備え、
表示体によって表示される情報は、単語、数字、図形、および、国旗のいずれか１つのカテゴリに含まれ、
前記第２情報は、前記１つのカテゴリに含まれる１つの要素を表現する情報であり、
前記第１情報、および、前記第３情報の少なくとも一方が、前記１つのカテゴリの中で、前記第２情報が表現する前記要素と同じ要素を表現する情報である
表示体。
【請求項３】
前記パターン層と前記レンズ層とが積み重なる方向において、前記マイクロレンズと、前記マイクロレンズに重なる前記マイクロパターンとの間の距離は、屈折率が１．０である媒質の中において、複数の前記マイクロレンズの焦点が前記マイクロパターンに合うように設定された距離であり、
前記インキ部の屈折率は１．０以外の値であり、かつ、前記マイクロレンズの屈折率とは異なる値である
請求項１または２に記載の表示体。
【請求項４】
前記撥液部は、前記第２面から突き出た複数の凸部から構成され、
前記各マイクロレンズは、前記第２面から突き出た凸レンズであり、
前記レンズ層は、樹脂製の一体物である
請求項１から３のいずれか一項に記載の表示体。
【請求項５】
前記レンズ層の形成材料は、屈折率が１．２以上１．４以下の樹脂である
請求項４に記載の表示体。
【請求項６】
前記複数のマイクロレンズは、第１の焦点距離を有する第１焦点レンズと、前記第１の焦点距離とは異なる第２の焦点距離を有する第２焦点レンズと、を含み、
前記パターン層と前記レンズ層とが積み重なる方向において、前記マイクロレンズと前記マイクロレンズに重なる前記マイクロパターンとの間の距離は、前記第１の焦点距離である
請求項１から５のいずれか一項に記載の表示体。
【請求項７】
前記パターン層は、前記マイクロパターンが位置し、前記第１面に接する面を含む層形状を有した本体部であって、前記本体部の形成材料が紙である前記本体部を備え、
前記レンズ層の形成材料は樹脂であり、
前記レンズ層は前記本体部の全体を覆っている
請求項１から６のいずれか一項に記載の表示体。
【請求項８】
前記マイクロパターンは第１マイクロパターンであり、
前記マイクロレンズは第１マイクロレンズであり、
前記本体部は、前記本体部の厚さ方向において前記本体部を貫通する貫通孔を有し、
前記レンズ層において、前記本体部に対して前記第２面と反対側の面が第３面であり、
前記レンズ層は、前記第２面を含む第１レンズ部と前記第３面を含む第２レンズ部とから構成され、
前記第２面と対向する平面視において、前記第１レンズ部と第２レンズ部との各々のうち、前記貫通孔と重なる部分が、前記貫通孔内に向けて窪んで互いに接し、
前記レンズ層は、前記第２面の中で前記貫通孔に向けて窪む部分に位置する複数の第２マイクロレンズと、前記第３面に位置し、前記レンズ層の厚さ方向において、前記第２マイクロレンズに対して１つずつ重なる複数の第２マイクロパターンと、をさらに備え、
前記複数の第２マイクロレンズは、前記各第２マイクロレンズが拡大した前記第２マイクロパターンの像の集合によって第５情報を形成するように構成されている
請求項７に記載の表示体。
【請求項９】
表示体の真贋判定方法であって、
前記表示体は、請求項１から８のいずれか一項に記載の表示体であり、
前記表示体の前記第２面のうち、少なくとも前記撥液部が位置する部分を液体に曝すことと、
前記液体に曝すことによって、前記第２情報が形成されるか否かを判断することと、を含む
表示体の真贋判定方法。
【請求項１０】
表示体の真贋判定方法であって、
前記表示体が、請求項５に記載の表示体であり、
前記表示体の前記第２面のうち、少なくとも複数の前記マイクロレンズに水を付着させることと、
前記水の付着によって、付着後の前記第１情報における鮮明さが、付着前の前記第１情報における鮮明さよりも低いか否かを判断することと、を含む
表示体の真贋判定方法。
【請求項１１】
表示体の真贋判定方法であって、
前記表示体が、請求項６に記載の表示体であり、
前記表示体の前記第２面のうち、少なくとも前記第１焦点レンズおよび前記第２焦点レンズに、前記第２焦点レンズの焦点を前記マイクロパターンに合わせ、かつ、前記第１焦点レンズの焦点を前記マイクロパターンからずらすように構成された液状体を付着させることと、
前記第１情報のうち、前記第１焦点レンズによって拡大された部分が第１部分であり、前記第２焦点レンズによって拡大された部分が第２部分であり、前記液状体の付着によって、付着後の前記第１部分の鮮明さが付着前の前記第１部分の鮮明さよりも低く、かつ、付着後の前記第２部分の鮮明さが付着前の前記第２部分の鮮明さよりも高いか否かを判断することと、を含む
表示体の真贋判定方法。
【発明の詳細な説明】
【技術分野】
【０００１】
本発明は、複数のマイクロレンズを備える表示体、および、表示体の真贋判定方法に関する。
【背景技術】
【０００２】
紙幣、クレジットカード、および、商品券などの有価証券の偽造防止、および、商品のブランドプロテクションを目的として、特殊な視覚効果を有する表示体が用いられている。こうした表示体には、マイクロレンズアレイと、文字や図柄などのマイクロパターンとを備え、マイクロパターンに対してマイクロレンズが積み重ねられた構成を有する表示体が知られている。
【０００３】
この表示体では、マイクロレンズが、マイクロパターンを拡大して表示することにより、マイクロパターンが拡大された像に対して、立体感や奥行きが与えられる。また、表示体を観察する角度が連続的に変わることによって、表示体に対するパターンの位置が動いているように観察者に視認される（例えば、特許文献１参照）。
【０００４】
マイクロレンズとマイクロパターンとを備える表示体には、第１のマイクロパターンを有する第１の層と、第１のマイクロパターンとは異なる第２のマイクロパターンを有する第２の層とを備える構成も知られている。この表示体では、表示体を視認する方向に対する表示体の傾斜によって、第２のマイクロパターンが拡大された像の位置に対して、第１のマイクロパターンが拡大された像の位置が変わる。また、第１のマイクロパターンのピッチと、第２のマイクロパターンのピッチとが互いに異なることで、第１のマイクロパターンが拡大された像と、第２のマイクロパターンが拡大された像とが、表示体を視認する方向において、互いに異なる位置に表示される（例えば、特許文献２参照）。
【０００５】
マイクロレンズとマイクロパターンとを備える表示体は、上述した偽造防止やブランドプロテクションを目的とする表示体に限らず、表示体の付された物品を装飾する目的で用いられてもいる（例えば、特許文献３参照）。
【先行技術文献】
【特許文献】
【０００６】
【特許文献１】特表２００９−５３６８８５号公報
【特許文献２】特表２０１３−５２１１５８号公報
【特許文献３】特開２０１２−９１４４７号公報
【発明の概要】
【発明が解決しようとする課題】
【０００７】
上述したマイクロレンズとマイクロパターンとを備える表示体には、偽造を防止する効果や、物品を装飾する効果をより高める上で、マイクロパターンが拡大された像による情報だけでなく、それ以外の情報がさらに付加されることが望まれている。
【０００８】
本発明は、マイクロパターンが拡大された拡大像を表示する表示体において、拡大像以外の情報を付加することのできる表示体、および、表示体の真贋判定方法を提供することを目的とする。
【課題を解決するための手段】
【０００９】
上記課題を解決するための表示体は、複数のマイクロパターンを含むパターン層と、前記パターン層に接する第１面と、前記第１面とは反対側の第２面とを含み、光透過性を有するレンズ層を備える。前記レンズ層は、複数のマイクロレンズと撥液部とを前記第２面上に含み、前記パターン層と前記レンズ層とが積み重なる方向において、前記各マイクロレンズには互いに異なる前記マイクロパターンが１つずつ重なる。前記複数のマイクロレンズは、前記各マイクロレンズが拡大した前記マイクロパターンの像の集合によって第１情報を形成するように構成されている。前記撥液部は、前記第２面のうち、前記撥液部以外の部分よりも高い撥液性を有し、前記撥液部上で撥液された液体の外形によって第２情報を形成するように構成されている。
【００１０】
上記構成によれば、マイクロパターンの拡大像である第１情報に加えて、撥液部によって形成される第２情報が、表示体に付加される。
【００１１】
上記表示体において、光透過性を有し、複数の前記マイクロレンズの一部を覆うとともに、第３情報を含むインキ部をさらに備えることが好ましい。
上記構成によれば、表示体には、インキ部が含む第３情報がさらに付加される。
【００１２】
上記表示体において、前記第３情報は、第１の単語であり、前記第２情報は、前記第３情報に付加されることによって、前記第３情報とともに前記第１の単語とは異なる第２の単語を第４情報として形成してもよい。
【００１３】
上記構成によれば、表示体は、撥液部上にて液体が撥液されていない状態では、第１の単語を外部に表示する一方で、撥液部上にて液体が撥液された状態では、第２の単語を外部に表示することができる。このように、表示体では、撥液部が液体に曝されるか否かによって、表示する情報が変わるため、液体によって、表示体の表示する情報が第１の単語から第２の単語に変わるか否かによって、表示体の真贋を判定することができる。
【００１４】
上記表示体において、１つのカテゴリは、複数の要素の集まりであり、前記第２情報は、前記複数の要素に含まれる１つの要素を表現する情報であり、前記第１情報、および、前記第３情報の少なくとも一方が、前記第２情報が表現する前記要素と同じ要素を表現する情報であってもよい。
【００１５】
上記構成によれば、表示体が、液体の撥液によって形成される第２情報として、第１情報および第３情報の少なくとも一方と同じ要素を表現する情報を有するか否かによって、表示体の真贋を判定することができる。
【００１６】
上記表示体において、前記パターン層と前記レンズ層とが積み重なる方向において、前記マイクロレンズと、前記マイクロレンズに重なる前記マイクロパターンとの間の距離は、屈折率が１．０である媒質の中において、複数の前記マイクロレンズの焦点が前記マイクロパターンに合うように設定された距離であってもよい。前記インキ部の屈折率は１．０以外の値であり、かつ、前記マイクロレンズの屈折率とは異なる値であってもよい。
【００１７】
上記構成によれば、第１情報のうち、インキ部に覆われていないマイクロレンズによって拡大された部分に対して、インキ部に覆われたマイクロレンズによって拡大された部分はぼやけた像である。つまり、１つの第１情報が鮮明さの異なる部分を含むため、第１情報の全体における鮮明さが同じである構成と比べて、表示体はより複雑な第１情報を表示することができる。
【００１８】
上記表示体において、前記撥液部は、前記第２面から突き出た複数の凸部から構成され、前記各マイクロレンズは、前記第２面から突き出た凸レンズであり、前記レンズ層は、樹脂製の一体物であってもよい。
【００１９】
上記構成によれば、マイクロレンズと撥液部とが互いに共通する樹脂から形成されている。そのため、マイクロレンズと撥液部とが互いに異なる樹脂から形成される構成や、有機材料と無機材料との組み合わせのように互いに異なる材料から形成される構成と比べて、レンズ層を形成する工程の簡素化を図ることができる。
【００２０】
上記表示体において、前記レンズ層の形成材料は、屈折率が１．２以上１．４以下の樹脂であってもよい。
【００２１】
上記構成によれば、表示体の第２面のうち、マイクロレンズに水が付着したとき、水の屈折率は１．３３であるため、マイクロレンズの機能が消失することで、マイクロパターンが拡大された像が表示されない、あるいは、マイクロレンズの機能が低減されることで、マイクロパターンが拡大された像がぼやける。すなわち、像の鮮明さが低くなる。それゆえに、水の付着前と付着後との間で、第１情報の鮮明さが変わるか否かによって、表示体の真贋を判定することができる。
【００２２】
上記表示体において、前記複数のマイクロレンズは、第１の焦点距離を有する第１焦点レンズと、前記第１の焦点距離とは異なる第２の焦点距離を有する第２焦点レンズと、を含み、前記パターン層と前記レンズ層とが積み重なる方向において、前記マイクロレンズと前記マイクロレンズに重なる前記マイクロパターンとの間の距離は、前記第１の焦点距離であってもよい。
【００２３】
上記構成によれば、マイクロパターンが拡大された像のうち、第１焦点レンズによって拡大された部分は鮮明である一方で、第２焦点レンズによって拡大された部分はぼやける。つまり、第１情報が鮮明さの異なる部分を含むため、第１情報の全体における鮮明さが同じである構成と比べて、表示体はより複雑な第１情報を表示することができる。
【００２４】
上記表示体において、前記パターン層は、前記マイクロパターンが位置し、前記第１面に接する面を含む層形状を有した本体部であって、前記本体部の形成材料が紙である前記本体部を備え、前記レンズ層の形成材料は樹脂であり、前記レンズ層は前記本体部の全体を覆っていてもよい。
【００２５】
上記構成によれば、本体部の全体がレンズ層で覆われているため、本体部がレンズ層によって覆われていない構成と比べて、本体部に傷がついたり、本体部が破れたりすることが抑えられる。また、表示体に液体が塗布されたとき、本体部に液体が接することで、本体部が劣化することが抑えられる。
【００２６】
上記表示体において、前記マイクロパターンは第１マイクロパターンであり、前記マイクロレンズは第１マイクロレンズである。前記本体部は、前記本体部の厚さ方向において前記本体部を貫通する貫通孔を有し、前記レンズ層において、前記本体部に対して前記第２面と反対側の面が第３面であり、前記レンズ層は、前記第２面を含む第１レンズ部と前記第３面を含む第２レンズ部とから構成されてもよい。そして、前記第２面と対向する平面視において、前記第１レンズ部と第２レンズ部との各々のうち、前記貫通孔と重なる部分が、前記貫通孔内に向けて窪んで互いに接してもよい。前記レンズ層は、前記第２面の中で前記貫通孔に向けて窪む部分に位置する複数の第２マイクロレンズと、前記第３面に位置し、前記レンズ層の厚さ方向において、前記第２マイクロレンズに対して１つずつ重なる複数の第２マイクロパターンと、をさらに備え、前記複数の第２マイクロレンズは、前記各第２マイクロレンズが拡大した前記第２マイクロパターンの像の集合によって第５情報を形成するように構成されてもよい。
【００２７】
上記構成によれば、表示体のうち、第２面と対向する平面視において、パターン層が位置しない部分においても、第２マイクロレンズによって拡大された像である第５情報を形成することができる。
【００２８】
上記課題を解決するための表示体の真贋判定方法であって、前記表示体は、上記表示体であり、前記表示体の前記第２面のうち、少なくとも前記撥液部が位置する部分を液体に曝すことと、前記液体に曝すことによって、前記第２情報が形成されるか否かを判断することと、を含む。
上記構成によれば、第２情報の形成の有無によって、表示体の真贋を判定することができる。
【００２９】
上記課題を解決するための表示体の真贋判定方法であって、前記表示体が、上記表示体であり、前記表示体の前記第２面のうち、少なくとも複数の前記マイクロレンズに水を付着させることと、前記水の付着によって、付着後の前記第１情報における鮮明さが、付着前の前記第１情報における鮮明さよりも低いか否かを判断することと、を含む。
【００３０】
上記構成によれば、水が付着した後の第１情報における鮮明さが、水が付着する前の第１情報における鮮明さよりも低いか否かを判断することによって、表示体の真贋を判定することができる。
【００３１】
上記課題を解決するための表示体の真贋判定方法であって、前記表示体が、上記表示体であり、前記表示体の前記第２面のうち、少なくとも前記第１焦点レンズおよび前記第２焦点レンズに、前記第２焦点レンズの焦点を前記マイクロパターンに合わせ、かつ、前記第１焦点レンズの焦点を前記マイクロパターンからずらすように構成された液状体を付着させることと、前記第１情報のうち、前記第１焦点レンズによって拡大された部分が第１部分であり、前記第２焦点レンズによって拡大された部分が第２部分であり、前記液状体の付着によって、付着後の前記第１部分の鮮明さが付着前の前記第１部分の鮮明さよりも低く、かつ、付着後の前記第２部分の鮮明さが付着前の前記第２部分の鮮明さよりも高いか否かを判断することと、を含む。
【００３２】
上記構成によれば、液状体の付着によって、第１部分における鮮明さが付着前よりも低くなり、かつ、第２部分における鮮明さが付着前よりも高くなるか否かを判断することによって、表示体の真贋を判定することができる。
【発明の効果】
【００３３】
本発明によれば、マイクロパターンが拡大された拡大像を表示する表示体において、拡大像以外の情報を付加することができる。また、こうした表示体の真贋判定方法を提供することができる。
【図面の簡単な説明】
【００３４】
【図１】第１実施形態における表示体の斜視構造を示す斜視図である。
【図２】図１におけるＩ−Ｉ線に沿う断面構造を示す断面図である。
【図３】マイクロパターンの平面構造を示す平面図である。
【図４】パターン層の一部斜視構造とレンズ層の一部斜視構造とを分解して示す部分分解斜視図である。
【図５】マイクロパターンの平面構造を拡大して示す拡大平面図である。
【図６】撥液部の一例における斜視構造を示す斜視図である。
【図７】撥液部の一例における斜視構造を示す斜視図である。
【図８】撥液部の一例における斜視構造を示す斜視図である。
【図９】撥液部の機能を説明するための模式図である。
【図１０】表示体の断面構造の一部を拡大して示す部分拡大断面図である。
【図１１】表示体の作用を説明するための作用図である。
【図１２】表示体の作用を説明するための作用図である。
【図１３】第１実施形態の変形例における表示体の一部平面構造を模式的に示す概略平面図である。
【図１４】変形例の作用を説明するための作用図である。
【図１５】変形例の作用を説明するための作用図である。
【図１６】第１実施形態の変形例における表示体の一部断面構造を示す部分断面図である。
【図１７】第２実施形態における表示体の平面構造を示す平面図である。
【図１８】表示体の作用を説明するための作用図である。
【図１９】第３実施形態における表示体の平面構造を示す平面図である。
【図２０】表示体の作用を説明するための作用図である。
【図２１】第４実施形態の表示体の一例における一部断面構造を示す部分断面図である。
【図２２】表示体の一例における一部断面構造を示す部分断面図である。
【図２３】表示体の一例における一部断面構造を示す部分断面図である。
【図２４】表示体の一例における作用を説明するための作用図である。
【図２５】表示体の一例における作用を説明するための作用図である。
【図２６】第５実施形態における表示体の斜視構造を示す斜視図である。
【図２７】図２６におけるＩＩ−ＩＩ線に沿う断面構造を示す断面図である。
【図２８】第５実施形態の変形例における表示体の斜視構造を示す斜視図である。
【図２９】図２８におけるＩＩＩ−ＩＩＩ線に沿う断面構造の一例を示す断面図である。
【図３０】図２８におけるＩＩＩ−ＩＩＩ線に沿う断面構造の一例を示す断面図である。
【発明を実施するための形態】
【００３５】
［第１実施形態］
図１から図１２を参照して、表示体の第１実施形態を説明する。以下では、表示体の構成、表示体の作用、および、表示体の真贋判定方法を順番に説明する。
【００３６】
［表示体の構成］
図１から図１０を参照して表示体の構成を説明する。図１では、図示の便宜上から、ドットによってレンズ層に位置するマイクロレンズが示され、かつ、ドットによってパターン層に位置するマイクロパターンが示されている。
【００３７】
図１が示すように、表示体１０は、パターン層１１とレンズ層１２とを備えている。レンズ層１２は、パターン層１１に接する第１面１２ａと、第１面１２ａとは反対側の第２面１２ｂとを含み、光透過性を有している。レンズ層１２は、複数のマイクロレンズ２１と撥液部２２とを第２面１２ｂ上に含んでいる。撥液部２２は、第２面１２ｂのうち、撥液部２２以外の部分よりも高い撥液性を有し、撥液部２２上で撥液された液体の外形によって第２情報を形成するように構成されている。
【００３８】
図２が示すように、パターン層１１は、複数のマイクロパターン３１を含んでいる。パターン層１１とレンズ層１２とが積み重なる方向において、各マイクロレンズ２１に対して互いに異なる１つのマイクロパターン３１が重なり、複数のマイクロレンズ２１は、各マイクロレンズ２１が拡大したマイクロパターン３１の像の集合によって、第１情報を形成するように構成されている。
【００３９】
こうした表示体１０によれば、マイクロパターン３１の拡大像である第１情報に加えて、撥液部２２によって形成される第２情報が、表示体１０に付加される。なお、第１情報は、複数の拡大像を含み、各拡大像は、１つのマイクロパターン３１と相似な形状を有した像であるが、第１情報は、１つの拡大像から構成されていてもよい。
【００４０】
表示体１０は、光透過性を有し、複数のマイクロレンズ２１の一部を覆うとともに、第３情報を含むインキ部２３をさらに備えている。そのため、表示体１０には、インキ部２３が含む第３情報がさらに付加される。
【００４１】
第１情報、第２情報、および、第３情報の各々は、文字、数字、記号、および、図形のいずれであってもよく、これらの群から選択される２つ以上を含んでいてもよい。本実施形態では、第２情報は、三日月形状を有した図形であり、第３情報は、アルファベットの「Ａ」および「Ｔ」である。
【００４２】
レンズ層１２の第２面１２ｂと対向する平面視において、インキ部２３は、複数のマイクロレンズ２１の一部に重なっている一方で、撥液部２２は、第２面１２ｂのうち、複数のマイクロレンズ２１が位置する領域とは異なる部位に位置している。なお、撥液部２２は、第２面１２ｂのうち、複数のマイクロレンズ２１が位置する領域の内部、例えば、複数のマイクロレンズ２１によって囲まれる領域内に位置していてもよい。
【００４３】
表示体１０は、２つの撥液部２２と、２つのインキ部２３とを有しているが、表示体１０は少なくとも１つの撥液部２２を有していればよく、また、少なくとも１つのインキ部２３を有していればよい。
以下では、マイクロレンズ２１およびマイクロパターン３１の構成、撥液部２２の構成、および、インキ部２３の構成をより具体的に説明する。
【００４４】
［マイクロレンズおよびマイクロパターンの構成］
図２から図５を参照して、マイクロレンズ２１およびマイクロパターン３１の構成を説明する。
図２が示すように、複数のマイクロパターン３１は、複数のマイクロレンズ２１の焦平面上に位置するように並べられる。このとき、レンズ層１２における第１面１２ａと第２面１２ｂとの間の距離が、各マイクロレンズ２１の焦点距離であり、焦点距離が所定の値に設定されることで、マイクロレンズ２１の形状、すなわち、マイクロレンズ２１の曲率半径が所定の値に定まる。一般に、マイクロレンズ２１において、曲率半径と焦点距離との関係は、以下の式（１）によって表される。
１／ｆ＝（ｎ２−ｎ１）（１／ａ＋１／ｂ）  …  式（１）
【００４５】
上記式（１）において、ｆは焦点距離であり、ｎ１はマイクロレンズ２１を取り囲む媒質の屈折率であり、ｎ２はマイクロレンズ２１の屈折率であり、ａはマイクロレンズ２１の前面における曲率半径であり、ｂはマイクロレンズ２１の後面における曲率半径である。なお、表示体１０の備えるマイクロレンズ２１は片側レンズであるため、曲率半径ｂ、すなわち、マイクロレンズ２１の後面における曲率半径ｂを無視することができる。したがって、マイクロレンズ２１の前面における曲率半径ａは、以下の式（２）によって表される。
ａ＝（ｎ２−ｎ１）ｆ  …  式（２）
【００４６】
マイクロレンズ２１の曲率半径ａが上記式（２）から導かれる値に設定されることによって、複数のマイクロパターン３１は、屈折率が上記ｎ２である材料から形成されたマイクロレンズ２１の焦平面上に並べられる。
【００４７】
本実施形態では、表示体１０が大気中にて観察される構成であるため、媒質の屈折率ｎ１は１．０である。パターン層１１とレンズ層１２とが積み重なる方向において、各マイクロレンズ２１と、各マイクロレンズ２１に重なるマイクロパターン３１との間の距離は、屈折率ｎ１が１．０である媒質の中において、複数のマイクロレンズ２１の焦点が各マイクロパターン３１に合うように設定された距離である。
【００４８】
レンズ層１２の形成材料は、例えば光透過性を有する樹脂であり、１．２以上１．４以下の範囲に含まれる屈折率を有することが好ましく、１．２８以上１．３８以下の屈折率を有することがより好ましい。すなわち、マイクロレンズ２１の屈折率ｎ２は、１．２以上１．４以下であることが好ましく、１．２８以上１．３８以下であることがより好ましい。
【００４９】
こうした構成であれば、水の屈折率が１．３３であるため、レンズ層１２の第２面１２ｂに水が付着したとき、マイクロレンズ２１の機能が消失することで、マイクロパターン３１が拡大された像が表示されない。あるいは、マイクロレンズ２１の機能が低減されることで、マイクロパターン３１が拡大された像がぼやける。すなわち、像の鮮明さが低くなる。それゆえに、水の付着前と水の付着後との間で、第１情報の鮮明さが変わるか否かによって、表示体１０の真贋を判定することができる。
【００５０】
なお、マイクロレンズ２１の屈折率ｎ２と水の屈折率との差が小さいほど、マイクロレンズ２１の焦点がマイクロパターン３１に合わなくなることで、像が視認されにくくなる。それゆえに、マイクロレンズ２１の屈折率ｎ２は、１．２８以上１．３８以下であることが好ましい。
【００５１】
また、上述した水を含む液体を用いて表示体１０の真贋判定を行う上では、マイクロレンズ２１は、マイクロレンズ２１に対して液体が付着したとき、互いに隣り合うマイクロレンズ２１の間の隙間に液体が保持される程度の濡れ性を発現するような形状を有することが好ましい。
【００５２】
マイクロレンズ２１の曲率半径ａは、２０μｍ以上２４０μｍ以下であることが好ましい。このとき、マイクロレンズ２１の屈折率ｎ２が、例えば１．３以上１．６以下であり、かつ、媒質の屈折率ｎ１が１．０であれば、焦点距離ｆは、３３．３μｍ以上８００μｍ以下である。
【００５３】
なお、マイクロレンズ２１の屈折率ｎ２が小さいほど、また、マイクロレンズ２１の曲率半径ａが大きいほど、焦点距離ｆは大きくなる。そのため、表示体１０の用途に応じて、表示体１０の全体における厚さが所定の値となるように、マイクロレンズ２１の屈折率ｎ２、および、マイクロレンズ２１の曲率半径ａを適宜設定することが好ましい。
【００５４】
例えば、表示体１０が紙幣として用いられる場合には、表示体１０の全体における厚さが１００μｍ程度になるように、マイクロレンズ２１の屈折率ｎ２、および、マイクロレンズ２１の曲率半径ａが設定されることが好ましい。また例えば、表示体１０が各種のカードとして用いられる場合には、表示体１０の全体における厚さが２００μｍ以上５００μｍ以下になるように、マイクロレンズ２１の屈折率ｎ２、および、マイクロレンズ２１の曲率半径ａが設定されることが好ましい。
【００５５】
図３は、複数のマイクロパターン３１の平面構造を示している。図３では、図示および説明の便宜上から、マイクロパターン３１に重なるマイクロレンズ２１を仮想線によって示している。
【００５６】
図３が示すように、マイクロレンズ２１は、１つの方向であるＸ方向に沿って並び、かつ、Ｘ方向に直交する方向であるＹ方向に沿って並んでいる。すなわち、マイクロレンズ２１は正方配置され、１つのマイクロレンズ２１の位置する領域が単位領域Ｒ１である。複数の単位領域Ｒ１は、Ｘ方向に沿って第１レンズピッチＢｘで並び、かつ、Ｙ方向に沿って第２レンズピッチＢｙで並んでいる。
【００５７】
パターン層１１とレンズ層１２とが積み重なる方向がＺ方向であり、複数のマイクロパターン３１は、Ｚ方向において、１つの単位領域Ｒ１に対して１つのマイクロパターン３１が含まれるように規則的に並んでいる。複数のマイクロパターン３１は、Ｘ方向に沿って第１パターンピッチＡｘで並び、かつ、Ｙ方向に沿って第２パターンピッチＡｙで並んでいる。すなわち、マイクロパターン３１は正方配置されている。
【００５８】
マイクロパターン３１は、例えば、印刷によってパターン層１１に形成され、各マイクロパターン３１は、他の全てのマイクロパターン３１と同じ形状を有している。マイクロパターン３１は、例えば、所定の色を有した印刷用インキで形成されている。本実施形態では、マイクロパターン３１は、太陽を表現する図形であり、そのため、第１情報に含まれる複数の図形の各々も、太陽を表現する図形である。
【００５９】
第１パターンピッチＡｘと第１レンズピッチＢｘとは互いに異なる値であり、かつ、第２パターンピッチＡｙと第２レンズピッチＢｙとは互いに異なる値である。第１パターンピッチＡｘの値と第１レンズピッチＢｘの値との間にわずかな差を生じさせ、かつ、第２パターンピッチＡｙの値と第２レンズピッチＢｙの値との間にわずかな差を生じさせることで、マイクロパターン３１と、マイクロレンズ２１との間にモアレ効果を生じさせる。これにより、各マイクロレンズ２１によって拡大されたマイクロパターン３１の一部が合成されて、マイクロパターン３１の拡大像、すなわち第１情報が表示される。
【００６０】
以下、第１パターンピッチＡｘと第２パターンピッチＡｙとが等しい値であって、パターンピッチＡである。また、単位領域Ｒ１が正方形形状を有し、すなわち、複数のマイクロレンズ２１が正方配置され、第１レンズピッチＢｘと第２レンズピッチＢｙとが等しい値であって、レンズピッチＢである。
【００６１】
パターンピッチＡがレンズピッチＢよりも大きいとき、拡大像は、観察者側に浮き出て見え、言い換えれば、拡大像は、Ｚ方向において、観察者の視点と表示体１０との間の空間に位置しているように視認される。このとき、マイクロパターン３１の拡大率αは以下の式（３）によって導かれる。
【００６２】
一方で、パターンピッチＡがレンズピッチＢよりも小さいとき、拡大像は、表示体１０の奥に沈んで見え、言い換えれば、拡大像は、Ｚ方向において、レンズ層１２の第２面１２ｂに対して観察者の視点とは反対側に位置しているように視認される。このとき、マイクロパターン３１の拡大率αは以下の式（４）によって導かれる。
α＝Ｂ／（Ａ−Ｂ）  …  式（３）  （Ａ＞Ｂのとき）
α＝Ｂ／（Ｂ−Ａ）  …  式（４）  （Ｂ＞Ａのとき）
【００６３】
レンズピッチＢがパターンピッチＡの０．８４倍以上１．０倍未満であるとき、式（３）から導かれるように、拡大率αは５倍以上である。また、レンズピッチＢがパターンピッチＡよりも大きく、かつ、１．２５倍以下であるとき、式（４）から導かれるように、拡大率αは５倍以上である。
【００６４】
なお、式（３）および式（４）から明らかなように、パターンピッチＡとレンズピッチＢとの差が小さいほど拡大率αは大きくなる。そのため、マイクロパターン３１の大きさに依存するものの、観察者が十分に視認できる程度の大きさで拡大像を表示する上では、パターンピッチＡとレンズピッチＢとの差をできる限り小さくすることが好ましい。
【００６５】
パターンピッチＡは、例えば、１０μｍ以上３００μｍ以下であることが好ましい。パターンピッチＡが１０μｍ以上であれば、印刷プロセスなどの高精度なパターン形成技術によって、マイクロパターン３１を形成することができる。また、パターンピッチＡが３００μｍ以下であれば、各マイクロパターン３１の大きさを肉眼によっては容易には視認できない程度の大きさにすることができる。ちなみに、表示体１０の偽造を防止する効果を高める上では、パターンピッチＡは、１０μｍ以上３００μｍ以下の範囲において、小さいほど好ましい。
【００６６】
複数のマイクロレンズ２１は、上述したように正方配置されているが、六方配置されてもよい。複数のマイクロレンズ２１が六方配置された構成では、互いに隣り合う２つのマイクロレンズ２１の間の隙間が、正方配置された構成と比べて小さくなる。これにより、複数のマイクロレンズ２１が六方配置された構成によれば、各マイクロレンズ２１によって拡大されたマイクロパターン３１の一部、すなわち、拡大像を構成する画素がより密に並ぶため、拡大像をより鮮明に表示させることができる。
【００６７】
図４は、レンズ層１２のうち、マイクロレンズ２１が位置する部分と、パターン層１１のうち、マイクロパターン３１が位置する部分のみを分解して示す斜視構造とともに、マイクロレンズ２１によって拡大された１つの像を示している。図５は、１つのマイクロパターン３１の平面構造を拡大して示している。
【００６８】
図４が示すように、１つのマイクロパターン３１に対応する拡大像が部分的に欠けないように拡大像を表示するためには、表示体１０は、所定の面積を有したレンズ領域Ｒ２であって、複数のマイクロレンズ２１が並ぶ領域を備える必要がある。
【００６９】
レンズ領域Ｒ２の大きさは、パターンピッチＡ、レンズピッチＢ、および、マイクロパターン３１の大きさによって定まり、以下の式（５）および式（６）から導かれる。
Ｌｍ＝（ｌｍ／｜Ｂ−Ａ｜）×Ｂ  …  式（５）
Ｌｎ＝（ｌｎ／｜Ｂ−Ａ｜）×Ｂ  …  式（６）
【００７０】
なお、Ｌｍはレンズ領域Ｒ２におけるＹ方向に沿う長さであり、Ｌｎはレンズ領域Ｒ２におけるＸ方向に沿う長さである。また、図５が示すように、ｌｍはマイクロパターン３１におけるＹ方向に沿う長さであり、ｌｎはマイクロパターン３１におけるＸ方向に沿う長さである。
【００７１】
各式のうち、右辺におけるかっこ内の数式は、１つの拡大像を表示するために必要なマイクロパターン３１の数を求めるための式であり、この式にレンズピッチＢを乗ずることによって、レンズ領域Ｒ２におけるＹ方向に沿う長さ、あるいは、Ｘ方向に沿う長さを導くことができる。
【００７２】
［撥液部の構成］
図６から図９を参照して、撥液部２２の構成を説明する。なお、図６から図８では、図示の便宜上から、レンズ層１２のうち、撥液部２２の位置する部分のみが示されている。
【００７３】
撥液部２２は、レンズ層１２の第２面１２ｂから突き出た複数の凸部から構成されている。複数のマイクロレンズ２１の各々は、同じく第２面１２ｂから突き出た凸レンズである。レンズ層１２は、樹脂製の一体物である。
【００７４】
マイクロレンズ２１と撥液部２２とが、互いに共通する樹脂から形成されている。そのため、マイクロレンズ２１と撥液部２２とが互いに異なる樹脂から形成される構成や、有機材料と無機材料との組み合わせのように互いに異なる材料から形成される構成と比べて、レンズ層１２を形成する工程の簡素化を図ることができる。
【００７５】
なお、撥液部２２がレンズ層１２における他の部分とは互いに異なる樹脂で形成されていてもよいし、マイクロレンズ２１がレンズ層１２における他の部分とは互いに異なる樹脂で形成されていてもよい。
撥液部２２は、複数の凸部から構成され、各凸部において、底面の面積に対する先端面の面積の比は１以下であることが好ましい。
【００７６】
図６が示すように、各凸部２２ａ１は円柱形状を有してもよいし、四角柱形状などの多角柱形状、すなわち、第２面１２ｂから離れる方向に向けて延びる柱形状であって、かつ、先端部に平坦面を有する形状であってもよい。
【００７７】
あるいは、図７が示すように、各凸部２２ａ２は円錐形状を有してもよいし、図８が示すように、各凸部２２ａ３は三角錐形状を有してもよいし、四角錐形状などの多角錐形状を有してもよい。すなわち、各凸部は第２面１２ｂから離れる方向に向けて延びる錐形状であって、かつ、先鋭な先端部を有した形状であってもよい。
【００７８】
なお、各凸部の高さは１０μｍ以下であることが好ましく、底面の大きさは、底面が円形状を有するときには直径が１０μｍ以下であることが好ましく、底面が多角形状を有するときには、長辺の長さが１０μｍ以下であることが好ましい。また、複数の凸部は、２０μｍ以下のピッチで並ぶことが好ましい。
【００７９】
ちなみに、各凸部は、図７および図８を参照して先に説明した形状、すなわち、第２面１２ｂから離れる方向に向けて延びる錐形状であって、先鋭な先端部を有した形状であることが好ましい。
【００８０】
図９が示すように、物体４０の表面４０Ｓが第１物質４１と第２物質４２とから構成された複合面であるとき、物体４０の表面４０Ｓに対する第１物質４１の面積の比が第１面積比Ａ１であり、物体４０の表面４０Ｓに対する第２物質４２の面積の比が第２面積比Ａ２である。そして、第１物質４１の表面４１Ｓにおける接触角が第１接触角θ１であり、第２物質４２の表面４２Ｓにおける接触角が第２接触角θ２である。このとき、複合面における接触角θ０は、以下の式（７）、すなわち、Ｃａｓｓｉｅの式で表される。
ｃｏｓθ０＝Ａ１ｃｏｓθ１＋Ａ２ｃｏｓθ２  …  式（７）
【００８１】
第１物質４１が所定の固体であり、第２物質４２が空気であるとき、第２接触角θ２は１８０°（θ２＝１８０°）である。また、第１面積比Ａ１と第２面積比Ａ２との和が１（Ａ１＋Ａ２＝１）であることから、上記式（７）から以下の式（８）が得られる。
ｃｏｓθ０＝Ａ１（ｃｏｓθ１＋１）−１  …  式（８）
【００８２】
したがって、第１物質４１の第１面積比Ａ１を小さくするほど複合面の接触角θ０は１８０°に近付き、複合面が超撥液性を有する。すなわち、撥液部２２を構成する各凸部は、柱形状よりも錐体形状を有することが好ましい。
【００８３】
［インキ部の構成］
図１０を参照してインキ部２３の構成を説明する。
上述したように、Ｚ方向において、各マイクロレンズ２１と、各マイクロレンズ２１に重なるマイクロパターン３１との間の距離は、屈折率が１．０である媒質の中において、複数のマイクロレンズ２１の焦点が各マイクロパターン３１に合うように設定された距離である。すなわち、各マイクロパターン３１は、Ｚ方向においてマイクロパターン３１が重なるマイクロレンズ２１の焦平面であって、屈折率が１．０である媒質、例えば、大気中における焦平面上に位置している。
【００８４】
そして、インキ部２３の形成材料は、光透過性を有した透明インキであり、インキ部２３の屈折率は１．０以外の値であり、かつ、マイクロレンズ２１の屈折率とは異なる値であってもよい。第１情報のうち、インキ部２３に覆われていないマイクロレンズ２１によって拡大された部分に対して、インキ部２３に覆われたマイクロレンズ２１によって拡大された部分はぼやけた像である。つまり、第１情報が鮮明さの異なる部分を含むため、第１情報の全体における鮮明さが同じである構成と比べて、表示体１０はより複雑な第１情報を表示することができる。
【００８５】
あるいは、インキ部２３の屈折率は１．０以外の値であり、かつ、マイクロレンズ２１の屈折率と等しい値であってもよい。インキ部２３によって覆われたマイクロレンズ２１は、レンズとして機能しないため、第１情報のうち、インキ部２３によって覆われたマイクロレンズ２１によって拡大されるべき部分が表示されない。
【００８６】
図１０が示すように、複数のマイクロレンズ２１は、インキ部２３によって覆われていないマイクロレンズ２１である第１レンズ２１Ａと、インキ部２３によって覆われているマイクロレンズ２１である第２レンズ２１Ｂとから構成されている。
各マイクロレンズ２１に入射した光の焦点距離ｆは、上述した式（２）から導かれる以下の式（９）によって求めることができる。
ｆ＝ａ／（ｎ２−ｎ１）  …  式（９）
【００８７】
なお、上述したように、ａはマイクロレンズ２１の前面における曲率半径であり、ｎ１はマイクロレンズ２１を取り囲む媒質の屈折率であり、ｎ２はマイクロレンズ２１の屈折率である。
【００８８】
第１レンズ２１Ａにおける曲率半径ａと第２レンズ２１Ｂにおける曲率半径ａとが等しく、かつ、第１レンズ２１Ａにおける屈折率ｎ２と第２レンズ２１Ｂにおける屈折率ｎ２とが等しいとき、各マイクロレンズ２１における焦点距離ｆは、媒質の屈折率ｎ１が大きいほど大きくなる。
【００８９】
ここで、第１レンズ２１Ａにおける焦点距離が第１焦点距離ｆ１であり、第２レンズ２１Ｂにおける焦点距離が第２焦点距離ｆ２である。表示体１０が大気中にて観察されるとき、第１レンズ２１Ａを取り囲む媒質は大気であるため、第１レンズ２１Ａを取り囲む媒質の屈折率ｎ１は１．０である。上記式（９）のｎ１に１．０を代入することで、第１焦点距離ｆ１は以下の式で表される。
ｆ１＝ａ／（ｎ２−１．０）  …  式（１０）
【００９０】
これに対して、第２レンズ２１Ｂの第２焦点距離ｆ２は、第２レンズ２１Ｂを取り囲む媒質、すなわち、インキ部２３の屈折率ｎ１に応じて、以下のように変わる。すなわち、インキ部２３の屈折率ｎ１が１．０よりも大きく、かつ、第２レンズ２１Ｂの屈折率ｎ２よりも小さいとき（１．０＜ｎ１＜ｎ２）、第２焦点距離ｆ２は第１焦点距離ｆ１よりも大きく（ｆ２＞ｆ１）。また、インキ部２３の屈折率ｎ１が１よりも小さく（ｎ１＜１．０）、かつ、第２レンズ２１Ｂの屈折率ｎ２と異なる値であるとき、第２焦点距離ｆ２は第１焦点距離ｆ１よりも小さい（ｆ２＜ｆ１）。
【００９１】
このように、インキ部２３の屈折率が１．０以外の値であるとき、マイクロパターン３１に対して第２レンズ２１Ｂの焦点が合わないため、複数のマイクロレンズ２１によって表示される拡大像のうち、第２レンズ２１Ｂによって拡大された部分が、他の部分と比べてぼやける。第２レンズ２１Ｂによって拡大された部分がぼやける度合い、すなわち、第２レンズ２１Ｂによって拡大された部分における鮮明さが低くなる度合いは、インキ部２３の屈折率ｎ１と１．０との差が大きくなるほど大きい。
【００９２】
なお、インキ部２３の屈折率ｎ１が第２レンズ２１Ｂの屈折率ｎ２よりも大きいときには（ｎ１＞ｎ２）、第２焦点距離ｆ２が０よりも小さくなり（ｆ２＜０）、第２レンズ２１Ｂに入射した光が発散する。そのため、マイクロレンズ２１の焦点は、マイクロレンズ２１の下側、すなわち、Ｚ方向において、レンズ層１２の第２面１２ｂに対して観察者の視点とは反対側に位置しない。それゆえに、複数のマイクロレンズ２１が表示する拡大像のうち、第２レンズ２１Ｂによって拡大された部分が極度にぼやける。
【００９３】
また、インキ部２３の屈折率ｎ１が第２レンズ２１Ｂの屈折率ｎ２と等しいとき、第２レンズ２１Ｂに入射した光は直進するため、マイクロレンズ２１はレンズとして機能しない。結果として、複数のマイクロレンズ２１が表示する拡大像のうち、第２レンズ２１Ｂによって拡大されるべき部分が表示されない。
【００９４】
［表示体の作用］
図１１および図１２を参照して、表示体１０の作用を説明する。なお、以下では、表示体１０の一例として、マイクロレンズ２１の形成材料が、１．２以上１．４以下の屈折率を有する構成における作用を説明する。また、図１１および図１２では、図示の便宜上から、表示体１０の表示する第１情報として、マイクロパターン３１と相似な形状を有する１つの拡大像のみを示している。
【００９５】
図１１が示すように、表示体１０は、大気中において、マイクロレンズ２１によって拡大されたマイクロパターン３１の像の集合である第１情報５１を形成し、かつ、第３情報５３を含むインキ部２３を備えている。そのため、観察者が大気中にて表示体１０を観察するとき、第１情報５１と第３情報５３とが観察される。
【００９６】
図１２が示すように、レンズ層１２の第２面１２ｂが例えば水に曝されると、第２面１２ｂ上に形成された撥液部２２は、第２面１２ｂにおける他の部分よりも高い撥液性を有するため、撥液部２２上にて水を撥水する。そして、撥液部２２は、撥液部２２の形状に沿って、撥液部２２上にて水を凝集させて液滴を形成する。これにより、撥液部２２は、撥液部２２上で撥水された水の外形によって第２情報５２を形成する。
【００９７】
一方で、複数のマイクロレンズ２１に水が付着すると、複数のマイクロレンズ２１のうち、インキ部２３に覆われていない部分では、マイクロレンズ２１の周囲を取り囲む媒質の屈折率が、１．０から１．３に変わる。そのため、各マイクロレンズ２１の焦点が、Ｚ方向において各マイクロレンズ２１と重なるマイクロパターン３１には合わなくなる。それゆえに、第２面１２ｂに水が付着した後の第１情報５１は、第２面１２ｂに水が付着する前の第１情報５１と比べてぼやけた像になる。
【００９８】
このように、表示体１０によれば、水の撥水によって撥液部２２が第２情報５２を形成するか否か、および、水の付着によって第１情報５１の状態が変わるか否かによって、表示体１０の真贋を判断することができる。そのため、表示体１０の真贋が、第１情報５１および第２情報５２のいずれか一方のみに基づいて判断される構成と比べて、表示体１０の真贋判定の精度が高まる。
【００９９】
すなわち、こうした表示体１０の真贋は、第２面１２ｂのうち、少なくとも複数のマイクロレンズ２１に水を付着させることと、水の付着によって、付着後の第１情報５１における鮮明さが、付着前の第１情報５１における鮮明さよりも低いか否かを判断することとによっても判定することができる。
【０１００】
［表示体の真贋判定方法］
図１２を参照して表示体の真贋判定方法を説明する。
表示体１０の真贋判定方法は、レンズ層１２の第２面１２ｂのうち、少なくとも撥液部２２が位置する部分を液体に曝すことと、液体に曝すことによって第２情報５２が形成されるか否かを判断することとを含む。
【０１０１】
図１２が示すように、本物の表示体１０であれば、レンズ層１２の第２面１２ｂのうち、少なくとも撥液部２２が位置する部分を液体に曝すと、撥液部２２上にて液体が撥液されることによって第２情報５２が形成される。
【０１０２】
ここで、撥液部２２は、液体に曝される前の表示体１０において、目視では視認されにくいため、表示体１０を取り扱う者が、予め表示体１０が撥液部２２を備えていることを知らなければ、表示体１０が撥液部２２を備えていることには気付きにくい。それゆえに、表示体１０を偽造する者が、表示体１０の有する撥液部２２に気付かない可能性が高く、結果として、偽物の表示体１０は、撥液部２２を備えていてない可能性が高い。
こうした理由から、液体に曝しても第２情報５２が形成されない表示体１０であれば、偽物の表示体１０であると判断することができる。
【０１０３】
なお、液体に曝すことによって表示体１０の真贋判定を行うため、真贋判定を行った後には、液体を表示体から揮発させる、あるいは、エアブローによって液体を表示体１０から除去することによって、真贋判定を行う前の状態に表示体１０の状態を戻すことができる。
【０１０４】
それゆえに、液体を用いた真贋判定方法は、表示体１０の用途が、例えば、紙幣、ＩＤカード、パスポート、および、金券などであって、複数回の真贋判定が行われる可能性のある物品である場合に有効な方法である。
【０１０５】
表示体１０を液体に曝すときには、表示体１０の全体を液体に浸すことによって表示体１０を液体に曝してもよいし、レンズ層１２の第２面１２ｂの全体、あるいは、第２面１２ｂの一部に液体を塗布する、あるいは、噴霧することによって、表示体１０を液体に曝してもよい。なお、塗布あるいは噴霧によって第２面１２ｂを液体に曝すときには、互いに隣り合うマイクロレンズ２１の間の隙間に液体が保持される程度の濡れ性を第２面１２ｂが発現するような液体を選択することが好ましい。
【０１０６】
また、レンズ層１２の第２面１２ｂに触れる液体は、人体に有害な物質でなければ水以外の他の液体であってもよい。ただし、水は、真贋判定を行う人、および、真贋判定を行う場所を選ばない点で、また、真贋判定に必要な費用を抑えられる点で好ましい。
【０１０７】
以上説明したように、第１実施形態の表示体１０によれば、以下に列挙する効果を得ることができる。
（１）マイクロパターン３１の拡大像である第１情報５１に加えて、撥液部２２によって形成される第２情報５２が、表示体１０に付加される。
（２）表示体１０には、インキ部２３が含む第３情報５３がさらに付加される。
【０１０８】
（３）第１情報５１のうち、第１レンズ２１Ａによって拡大された部分に対して、第２レンズ２１Ｂによって拡大された部分はぼやけた像である。つまり、第１情報５１が鮮明さの異なる部分を含むため、第１情報５１の全体における鮮明さが同じである構成と比べて、表示体１０はより複雑な第１情報５１を表示することができる。
【０１０９】
（４）マイクロレンズ２１と撥液部２２とが、互いに共通する樹脂から形成されている。そのため、マイクロレンズ２１と撥液部２２とが互いに異なる樹脂から形成される構成や、有機材料と無機材料との組み合わせのように互いに異なる材料から形成される構成と比べて、レンズ層１２を形成する工程の簡素化を図ることができる。
【０１１０】
（５）水の屈折率は１．３３であるため、レンズ層１２の第２面１２ｂに水が付着したとき、マイクロレンズ２１の機能が消失することで、マイクロパターン３１が拡大された像が表示されない、あるいは、マイクロレンズ２１の機能が低減されることで、マイクロパターン３１が拡大された像がぼやける、すなわち、像の鮮明さが低くなる。それゆえに、水の付着前と付着後との間で、第１情報５１の鮮明さが変わるか否かによって、表示体１０の真贋を判定することができる。
（６）第２情報５２の形成の有無によって、表示体１０の真贋を判定することができる。
【０１１１】
［第１実施形態の変形例］
なお、上述した第１実施形態は、以下のように適宜変更して実施することもできる。
・レンズ層１２の形成材料、すなわち、マイクロレンズ２１の形成材料の屈折率は、マイクロレンズ２１を取り囲む媒質の屈折率ｎ１と等しい値でなければ、１．２よりも小さくてもよいし、１．４よりも大きくてもよい。
【０１１２】
・撥液部２２は、レンズ層１２における撥液部２２以外の部分よりも撥液性の高い材料で形成されていれば、複数の凸部から構成されていなくてもよく、例えば、第２面１２ｂの一部を構成する平坦面であってもよい。あるいは、撥液部２２は、レンズ層１２の第２面１２ｂに対して、レンズ層１２における撥液部２２以外の部分よりも撥液性の高い撥液剤が塗布された部分であってもよい。
【０１１３】
・撥液部２２は、撥液部２２上にて撥液された液体が撥液部２２に留まるように撥液部２２が構成されているが、撥液部２２は、第２面１２ｂの一部であって、撥液された液体が撥液部２２以外の部分に留まるように構成されていてもよい。こうした構成であっても、撥液部２２が、撥液部２２上で撥液された液体の外形によって第２情報を形成するように構成されていれば、上述した（１）と同等の効果を得ることはできる。
【０１１４】
・Ｚ方向におけるマイクロレンズ２１とマイクロパターン３１との間の距離は、マイクロレンズ２１の焦点が、屈折率が１．０以外の媒質の中においてマイクロパターン３１に合うように設定された距離であってもよい。こうした構成では、インキ部２３の屈折率は、媒質の屈折率およびマイクロレンズ２１の屈折率の両方と異なる値であってもよいし、媒質の屈折率とは異なる値である一方で、マイクロレンズ２１の屈折率とは同じ値であってもよい。
【０１１５】
・表示体１０はインキ部２３を備えていなくてもよく、表示体１０がインキ部２３を備えていない構成であれば、マイクロレンズ２１の焦点が、マイクロパターン３１に合う媒質中において、マイクロパターン３１の拡大像の全体が、高い鮮明さを有した状態で形成される。
【０１１６】
・マイクロパターン３１は、所定の色を有した印刷用のインキに限らず、例えば、機能性インキから形成されていてもよい。機能性インキは、表示体１０を照らす光源が１つの光源から他の光源に変わることによって、インキの色が１つの色から他の色に変わったり、インキの光沢の度合いが変わったりするインキである。また、機能性インキは、レンズ層１２の第２面１２ｂと視線方向とが形成する角度である観察角度が１つの角度から他の角度に変わることによって、インキの色が１つの色から他の色に変わったり、インキの光沢の度合いが変わったりするインキである。
【０１１７】
光源によって色が変わるインキは、例えば、蓄光インキおよびフォトクロミックインキなどであり、観察角度によって色が変わるインキは、例えば、パールインキおよびカラーシフトインキなどである。
【０１１８】
このうち、蓄光インキは、太陽光や蛍光灯の光などの光エネルギーを吸収して蓄積し、暗闇にて徐々に発光する機能を有している。フォトクロミックインキは、紫外線に反応して発色するインキであり、インキに照射された紫外線の量に応じて、レッド、ブルー、パープル、および、イエローなどの異なる色を発現する機能を有している。パールインキは、インキにパール顔料を混ぜたインキであって、観察角度に応じてインキの光沢が変わる。なお、パール顔料として偏光パールを用いることにより、観察角度に応じてインキの色調を変えることもできる。
こうした機能性インキを用いれば、マイクロパターン３１の拡大像における色や光沢が変わるか否かによって表示体１０の真贋判定を行うこともできる。
【０１１９】
・マイクロパターン３１は、微細な凹凸構造から構成された回折格子や散乱構造などであってもよい。ただし、マイクロパターン３１の拡大像に回折格子や散乱構造による光学的な効果を付与するためには、回折格子や散乱構造を構成している凹凸構造の配向を調整する必要がある。
【０１２０】
例えば、回折格子が１つの方向に沿って延びる複数の凸部と、２つの凸部間に形成される凹部とから構成される場合には、凸部の延びる方向に対して垂直な方向から表示体１０が観察されたときには虹色のパターンが視認される。一方で、凸部の延びる方向に対して平行な方向から表示体１０が観察されたときには虹色のパターンが視認されない。虹色のパターンが特定の方向のみから視認される状態を解消するためには、Ｚ方向において各マイクロレンズ２１に重なる回折格子が、１つの方向に沿って延びる複数の凸部に加えて、他の方向に沿って延びる複数の凸部を備える構成とすることが好ましい。
【０１２１】
なお、微細な凹凸構造は、例えば、フォトリソグラフィ法を用いて形成することができる。フォトリソグラフィ法では、ガラス基板などの基板の１つの面に感光性レジストを均一に塗布し、感光性レジストの任意の領域を電子線やレーザーなど用いて露光した後に、感光性レジストを現像することによって、所定のパターンを形成することができる。
【０１２２】
感光性レジストの種類には、露光された部分が現像によって溶解するポジ型レジストと、露光されていない部分が現像によって溶解するネガ型レジストとが存在し、感光性レジストの種類に応じて、感光性レジストを露光する際のパターンを設計する必要がある。
【０１２３】
感光性レジストの現像によって形成した基板は、樹脂製のフィルムなどに凹凸構造を形成するための原版として用いられるが、感光性レジストによって形成された凹凸構造は脆いため、凹凸構造を有したパターン層を量産するためのスタンパには適さない。そのため、原版に対する電気鋳造などにより、感光性レジストが有する凹凸構造が転写された金属製のスタンパを作製する。
【０１２４】
電気鋳造は、電解液中に原版を浸し、電気分解によって析出した金属イオンを原版の表面に電着させる方法であるため、電気鋳造によれば、原版が有する微細な凹凸構造を忠実に再現することができ、かつ、１μｍ以下の厚さを有するスタンパを形成することができる。
【０１２５】
なお、電気鋳造では、金属イオンを原版の表面に電着させるため、原版は通電性を有する必要がある。しかしながら、一般に、凹凸構造が形成された感光性レジストは通電性を有していないため、電気鋳造を実施する前に、感光性レジストで形成された原版の表面に対して、スパッタリングや真空蒸着などにより、金属薄膜を形成することが必要である。
【０１２６】
次いで、電気鋳造で作製した金属製のスタンパを母型として、凹凸構造の転写を行う。凹凸構造を転写するときには、まず、例えば、ポリエチレンテレフタラート（ＰＥＴ）や、ポリカーボネート（ＰＣ）などから形成された基材を準備し、基材の１つの面に熱可塑性樹脂または光硬化性樹脂を塗布する。そして、塗布した樹脂の表面に金属製のスタンパを押し当てた状態で、樹脂に対して熱または光を与えることで樹脂を硬化させ、硬化した樹脂からスタンパを離型する。これにより、微細な凹凸構造を有した樹脂層を得ることができる。
【０１２７】
転写方式には、ステップアンドリピート方式、および、ロールツーロール方式などを用いることができる。このうち、ステップアンドリピート方式は、スタンパと樹脂とを平行に配置し、スタンパの全体を樹脂に対して一度に押し付ける方法である。そのため、スタンパの面積が大きくなると、スタンパの全体に対して均一に圧力がかかりにくくなり、スタンパと樹脂との間に気泡が生じやすくなる。
【０１２８】
これに対して、ロールツーロール方式は、金属製のロールにスタンパを巻き付けた状態で、ロールを回転させながら樹脂に対して線圧でスタンパを押し付ける。そのため、ステップアンドリピート方式と比べて、より均一な圧力で樹脂に対してスタンパを押し付けることができる。ロールツーロール方式によれば、ロールを繰り返し回転させることによって、樹脂に対して連続して凹凸構造を転写することが可能であるため、ロールツーロール方式は、凹凸構造を有したパターン層の量産に適している。
【０１２９】
凹凸構造を形成した樹脂層および基材は、一般に透明であるため、凹凸構造に対して光を反射する特性を与えるためには、凹凸構造に対して蒸着法などを用いてアルミニウムなどから形成された金属層、あるいは、誘電体層を堆積させる必要がある。金属層あるいは誘電体層は、単層構造を有してもよいし、多層構造を有してもよい。
【０１３０】
例えば、多層構造を有する誘電体層であれば、高屈折率を有する誘電体層と、低屈折率を有する誘電体層とを交互に積層することで、特定の波長域の光を強く反射する誘電体層とすることができる。また、多層構造を有する誘電体層では、層の厚さ、層の数、および、層の構成を変えることによって、誘電体層の構成に応じた色を誘電体層に発現させることが可能である。このように、多層構造を有する誘電体層によれば、誘電体層の構成によって、マイクロパターン３１に対して種々の視覚効果を与えることができる。
【０１３１】
・撥液部２２は、レンズ層１２の第２面１２ｂにおいて、複数のマイクロレンズ２１が位置する領域の内部に位置していてもよい。すなわち、複数のマイクロレンズ２１によって囲まれていてもよい。なお、以下で参照する図１４では、図示の便宜上から、観察者によって視認される第１情報５１がレンズ層１２の第２面１２ｂの一部と重なるように図示されている。
【０１３２】
上述したように、第２面１２ｂのうち、複数のマイクロレンズ２１が位置する領域には、複数の単位領域Ｒ１が区画され、１つの単位領域Ｒ１は、１つのマイクロレンズ２１が位置することが可能な大きさを有している。複数の単位領域Ｒ１は正方形形状を有し、Ｘ方向に沿って並び、かつ、Ｙ方向に沿って並んでいる。
【０１３３】
そして、図１３が示すように、複数の単位領域Ｒ１は、複数の第１単位領域Ｒ１ａと複数の第２単位領域Ｒ１ｂとから構成され、第１単位領域Ｒ１ａには、１つのマイクロレンズ２１が位置する一方で、第２単位領域Ｒ１ｂには、撥液部２２を構成する複数の凸部２２ａが位置している。
【０１３４】
複数のマイクロパターン３１は、パターン層１１のうち、Ｚ方向において第１単位領域Ｒ１ａと重なる部分にのみ位置していてもよいし、Ｚ方向において第１単位領域Ｒ１ａと重なる部分、および、第２単位領域Ｒ１ｂと重なる部分の両方に位置していてもよい。
【０１３５】
複数の単位領域Ｒ１の中で、第１単位領域Ｒ１ａが位置する部分は、複数のマイクロレンズ２１によって、マイクロパターン３１の拡大像である第１情報５１を形成するように設定されればよい。また、複数の単位領域Ｒ１の中で、第２単位領域Ｒ１ｂが位置する部分は、複数の第２単位領域Ｒ１ｂ上にて撥液した液体によって第２情報５２を形成するように設定されればよい。
【０１３６】
そして、マイクロレンズ２１とマイクロパターン３１とによって形成される第１情報５１が、複数のマイクロレンズ２１が位置する領域の直上に形成されるように、マイクロレンズ２１およびマイクロパターン３１が構成されている。これに対して、撥液部２２は、撥液部２２上にて撥液された液体が、撥液部２２に留まり、かつ、液体の外形によって第２情報５２を形成するように構成されているため、第２情報５２の位置は、撥液部２２の形成された位置によって決まる。それゆえに、レンズ層１２の第２面１２ｂと対向する平面視において、第１情報５１が形成される位置と、第２情報５２が形成される位置とが重なる。
【０１３７】
図１４が示すように、マイクロレンズ２１の屈折率とほぼ等しい屈折率を有した液体にレンズ層１２の第２面１２ｂが曝されていない状態では、複数のマイクロレンズ２１と、複数のマイクロパターン３１とによって、第１情報５１が形成される。そのため、表示体１０の観察者は、第１情報５１を視認することができる。
【０１３８】
これに対して、図１５が示すように、マイクロレンズ２１の屈折率とほぼ等しい屈折率を有した液体にレンズ層１２の第２面１２ｂが曝された状態では、各マイクロレンズ２１におけるレンズとしての機能が失われるため、第１情報５１が形成されない。しかも、撥液部２２が、第２面１２ｂと対向する平面視において、表示体１０のうち、液体に曝される前に第１情報５１が形成される位置と重なる位置に第２情報５２を形成する。
【０１３９】
このように、表示体１０によれば、第２面１２ｂを液体に曝すことによって、第２面１２ｂと対向する平面視において、表示体１０の所定の位置に形成される情報が、第１情報５１から第２情報５２に変わる。
【０１４０】
・図１６が示すように、レンズ層１２の第２面１２ｂが段差面であってもよい。第２面１２ｂは、第２面１２ｂの中で、マイクロレンズ２１が位置する第１部分１２ｂ１と、マイクロレンズ２１が位置しない第２部分１２ｂ２とを有する面であり、第１部分１２ｂ１と第２部分１２ｂ２との間の段差が、マイクロレンズ２１の高さよりも大きい。こうした構成では、第２面１２ｂが平坦面である構成と比べて、マイクロレンズ２１が摩耗しにくいため、摩耗によってマイクロレンズ２１の形状が変わったり、マイクロレンズ２１の機能が低下したりすることが抑えられる。
【０１４１】
なお、図１６では、図示の便宜上から撥液部２２が示されていないが、撥液部２２は第１部分１２ｂ１に位置することが好ましい。撥液部２２が複数の凸部２２ａから構成されるときには、第１部分１２ｂ１と第２部分１２ｂ２との間の段差は、マイクロレンズ２１の高さと、凸部２２ａの高さとの両方よりも大きいことが好ましい。こうした構成によれば、撥液部２２が摩耗することも抑えられる。
【０１４２】
［第２実施形態］
図１７および図１８を参照して、表示体の第２実施形態を説明する。第２実施形態は、第１実施形態と比べて、インキ部が含む第３情報と、撥液部が形成する第２情報との関係が異なっている。そのため、以下では、こうした相違点を詳しく説明するとともに、第２実施形態において第１実施形態と共通する構成には、第１実施形態と同じ符号を付すことによって、その詳しい説明を省略する。また、以下では、表示体の構成、および、表示体の作用を順番に説明する。
【０１４３】
なお、図１７および図１８では、図示の便宜上から、マイクロレンズおよびマイクロパターンの各々の構成、および、マイクロレンズとマイクロパターンとによって形成される第１情報の図示が省略されている。
【０１４４】
［表示体の構成］
図１７を参照して表示体６０の構成を説明する。
図１７が示すように、表示体６０は、第１実施形態の表示体１０と同様、第２情報を形成する撥液部６１と、第３情報７２を含むインキ部６２を備えている。インキ部６２の含む第３情報７２は、第１の単語であり、撥液部６１の形成する第２情報は、第３情報７２に付加されることによって、第３情報７２とともに第１の単語とは異なる第２の単語を第４情報として形成する。
【０１４５】
表示体６０は、撥液部６１上にて液体が撥液されていない状態では、第１の単語を外部に表示する一方で、撥液部６１上にて液体が撥液された状態では、第２の単語を外部に表示することができる。このように、表示体６０では、撥液部６１が液体に曝されるか否かによって、表示する情報が変わるため、液体によって、表示体６０の表示する情報が第１の単語から第２の単語に変わるか否かによって、表示体６０の真贋を判定することができる。
【０１４６】
インキ部６２が含む第３情報７２は、１つの単語である「ＯＮＥ」であり、第３情報７２は、表示体６０が液体に曝されているか否かに関わらず、観察者によって視認される情報である。第３情報７２は、表示体６０が表示するべき複数の情報の中の１つを単独で示している。
【０１４７】
第３情報７２が、複数の情報の中の１つを単独で示すとき、表示体６０が、第３情報７２とともに第４情報を構成する第２情報を備えることを知らない観察者は、表示体６０が、第３情報７２に付加される他の情報を含んでいることに気付きにくい。それゆえに、表示体６０が偽造されたとしても、第２情報を有した表示体６０は偽造されにくい。
【０１４８】
撥液部６１は、文字「Ｈ」を第２情報の一部として形成する第１部分６１ａと、文字列「ＳＴＹ」を第２情報の残りの部分として形成する第２部分６１ｂとから構成されている。１つの方向において、第１部分６１ａと第２部分６１ｂとの間に、インキ部６２が位置している。本実施形態では、１つの方向において、インキ部６２が撥液部６１を構成する第１部分６１ａと第２部分６１ｂとによって挟まれているが、インキ部６２と撥液部６１とは、１つの方向に沿って並ぶ構成であってもよい。
【０１４９】
液体の撥液によって撥液部６１が形成する第２情報は、表示体６０が表示するべき複数の情報の中の１つにおける一部を示す情報であり、第２情報は、第３情報７２に付加されることによって第４情報を形成する。なお、第２情報は、表示体６０が表示するべき複数の情報の中の１つを示す情報であって、かつ、第３情報７２に付加されることによって第４情報を形成する情報であってもよい。
【０１５０】
第２情報と第３情報７２とが構成する第４情報は、第３情報７２とは異なる単語である「ＨＯＮＥＳＴＹ」であって、第４情報は、表示体６０が表示するべき複数の情報の中の１つの情報である。
【０１５１】
なお、第２情報、第３情報７２、および、第４情報は、上述した複数のアルファベットから構成される単語に限らず、他の文字、例えば、ひらがな、カタカナ、および、漢字などの文字によって構成される単語であってもよい。
【０１５２】
［表示体の作用］
図１７および図１８を参照して表示体の作用を説明する。
図１７が示すように、レンズ層１２の第２面１２ｂが液体、例えば水に曝される前の状態では、インキ部６２が第３情報７２を含むため、観察者は第３情報７２を視認することができる。
【０１５３】
これに対して、図１８が示すように、レンズ層１２の第２面１２ｂが水に曝された状態では、撥液部６１が撥液部６１上にて液体を撥液し、撥液された液体の外形が第２情報７１を形成する。そのため、観察者は、第２情報７１と第３情報７２とによって構成される第４情報７３を視認することができる。
【０１５４】
それゆえに、表示体６０が水に曝されることによって、表示体６０の表示する情報が、第３情報７２から第４情報７３に変わるか否かによって、観察者は、表示体６０の真贋を判定することができる。
【０１５５】
上述したように、第２実施形態の表示体６０によれば、上述した（１）から（６）の効果に加えて、以下に記載の効果を得ることができる。
（７）表示体６０では、液体によって、表示体６０の表示する情報が第１の単語から第２の単語に変わるか否かによって、表示体６０の真贋を判定することができる。
【０１５６】
［第３実施形態］
図１９および図２０を参照して表示体の第３実施形態を説明する。第３実施形態は、第１実施形態と比べて、インキ部が含む第３情報と、撥液部が形成する第２情報との関係が異なっている。そのため、以下では、こうした相違点を詳しく説明するとともに、第３実施形態において第１実施形態と共通する構成には、第１実施形態と同じ符号を付すことによって、その詳しい説明を省略する。また、以下では、表示体の構成、および、表示体の作用を順番に説明する。
【０１５７】
なお、図１９および図２０では、図示の便宜上から、マイクロレンズおよびマイクロパターンの各々の構成、および、マイクロレンズとマイクロパターンとによって形成される第１情報の図示が省略されている。
【０１５８】
［表示体の構成］
図１９を参照して表示体の構成を説明する。
図１９が示すように、表示体８０の備える撥液部８１が、撥液部８１上での液体の撥液により第２情報を形成し、インキ部８２が第３情報９２を含んでいる。１つのカテゴリは、複数の要素の集まりであり、第２情報は、複数の要素に含まれる１つの要素を表現する情報である。第３情報７２は、複数の要素の中で、第２情報が表現する要素と同じ要素を表現する情報である。
【０１５９】
そのため、表示体８０が、液体の撥液によって形成される第２情報として、第３情報と同じ要素を表現する情報を有するか否かによって、表示体８０の真贋を判定することができる。
【０１６０】
本実施形態において、カテゴリは「英単語」であり、第２情報および第３情報９２は、英単語を構成する複数の要素の中の１つの要素、すなわち、複数の英単語の中での１つの単語を表現する情報である。具体的には、インキ部８２が含む第３情報９２は、１つの単語である「ＳＥＣＵＲＩＴＹ」であり、第３情報９２は、表示体８０が液体に曝されているか否かに関わらず、観察者によって視認される情報である。
液体の撥液によって撥液部８１が形成する第２情報は、１つの単語である「ＳＥＣＵＲＩＴＹ」であり、第２情報は、第３情報９２と同じ情報を表現する。
【０１６１】
なお、カテゴリは英単語に関わらず、例えば、日本語や他の言語における単語であってもよく、この場合には、各言語における所定の単語が１つの要素である。カテゴリは、数字であってもよく、この場合には、所定の数字が１つの要素である。また例えば、カテゴリは、「国旗」や「トランプのスート」などの図形であってもよく、カテゴリが「国旗」であるときには、日本国の国旗や米国の国旗などの各々が１つの要素であり、カテゴリが「トランプのスート」であるときには、ハート、ダイヤ、クローバー、および、スペードの各々が１つの要素である。
【０１６２】
レンズ層１２の第２面１２ｂと対向する平面視において、撥液部８１は、撥液部８１の全体がインキ部８２に重ならない部位に位置している。第２面１２ｂと対向する平面視において、撥液部８１の全体がインキ部８２に重ならないため、撥液部８１の少なくとも一部がインキ部８２に重なる構成と比べて、撥液部８１の形成する第２情報と、インキ部８２の含む第３情報９２とが視認されやすい。
【０１６３】
なお、レンズ層１２の第２面１２ｂと対向する平面視において、撥液部８１の一部がインキ部８２の一部に重なっていてもよいし、撥液部８１の一部がインキ部８２の全体に重なっていてもよい。あるいは、撥液部８１の全体が、インキ部８２の全体に重なっていてもよい。これらの構成であっても、第２情報と第３情報とが各別に認識することが可能であればよい。
【０１６４】
［表示体の作用］
図１９および図２０を参照して、表示体８０の作用を説明する。
図１９が示すように、レンズ層１２の第２面１２ｂが液体、例えば水に曝される前の状態では、インキ部８２が第３情報９２を含むため、観察者は第３情報９２を視認することができる。
【０１６５】
そして、図２０が示すように、レンズ層１２の第２面１２ｂが水に曝された状態では、撥液部８１が第２情報９１を形成するため、観察者は、第３情報９２と第２情報９１との両方を視認することができる。
【０１６６】
そのため、表示体８０の表示する第２情報９１と第３情報９２とが、１つのカテゴリに含まれる互いに同じ要素を表現する情報であるか否かによって、観察者は、表示体８０の真贋を判定することができる。
【０１６７】
以上説明したように、第３実施形態の表示体８０によれば、上述した（１）から（６）の効果に加えて、以下の効果を得ることができる。
（８）表示体８０が、液体の撥液によって形成される第２情報９１として、第３情報９２と同じ要素を表現する情報を有するか否かによって、表示体８０の真贋を判定することができる。
【０１６８】
［第３実施形態の変形例］
なお、上述した第３実施形態は、以下のように適宜変更して実施することもできる。
・撥液部８１の形成する第２情報９１が、マイクロパターンの拡大像である第１情報と同じカテゴリに属する同じ要素を表現する情報であってもよい。こうした構成であっても、撥液部８１が、レンズ層１２の第２面１２ｂが液体に曝されることによって、第１情報と同じ要素を表現する第２情報９１を形成するか否かに基づいて、表示体８０の真贋を判定することができる。
【０１６９】
なお、マイクロレンズの屈折率、および、第２面１２ｂに付着した液体の屈折率によっては、第２面１２ｂに液体が付着したとき、第１情報が形成されない場合もある。これに対して、インキ部８２が含む第３情報９２であれば、第２面１２ｂに液体が付着した後であっても、表示体８０は第３情報９２を含んでいる。そのため、第２情報９１と他の情報とが同じカテゴリに属する同じ要素であるか否かを判断する上では、他の情報は、インキ部８２が含む第３情報９２であることが好ましい。
【０１７０】
・マイクロパターンの拡大像である第１情報、インキ部８２の含む第３情報９２、および、撥液部８１の形成する第２情報９１の全てが、同じカテゴリに属する同じ情報を表現する情報であってもよい。こうした構成であっても、レンズ層１２の第２面１２ｂが液体に曝されたとき、撥液部８１が、液体の撥液によって、第１情報および第３情報９２と同じ要素を表現する第２情報９１を形成するか否かに基づいて、表示体８０の真贋を判定することができる。
【０１７１】
［第４実施形態］
図２１から図２３を参照して、表示体の第４実施形態を説明する。第４実施形態は、第１実施形態と比べて、複数のマイクロレンズが、焦点距離が互いに異なる２種以上のマイクロレンズを含む点が異なっている。そのため、以下では、こうした相違点を詳しく説明するとともに、第４実施形態において第１実施形態と共通する構成には、第１実施形態と同じ符号を付すことによって、その詳しい説明を省略する。また、以下では、第４実施形態に含まれる第１の形態、第２の形態、および、第３の形態を順番に説明する。
【０１７２】
第４実施形態において、表示体の備える複数のマイクロレンズは、第１の焦点距離を有する第１焦点レンズと、第１の焦点距離とは異なる第２の焦点距離を有する第２焦点レンズとを含んでいる。パターン層とレンズ層とが積み重なる方向において、マイクロレンズとマイクロレンズに重なるマイクロパターンとの間の距離は、第１の焦点距離である。
【０１７３】
マイクロパターンが拡大された像のうち、第１焦点レンズによって拡大された部分は鮮明である一方で、第２焦点レンズによって拡大された部分はぼやける。つまり、第１情報が鮮明さの異なる部分を含むため、第１情報の全体における鮮明さが同じである構成と比べて、表示体はより複雑な第１情報を表示することができる。
以下、第１の形態、第２の形態、および、第３の形態を、図面を参照して順番に説明する。
【０１７４】
［第１の形態］
図２１を参照して第１の形態を説明する。図２１では、複数のマイクロレンズにおいて、屈折率が互いに異なることを示す目的で、屈折率が互いに異なるマイクロレンズに対して、濃度が互いに異なるドットが付されている。
【０１７５】
図２１が示すように、表示体１００Ａの備える複数のマイクロレンズ１１０は、第１屈折率ｎａを有する第１レンズ１１１、第２屈折率ｎｂを有する第２レンズ１１２、および、第３屈折率ｎｃを有する第３レンズ１１３を含んでいる。第１屈折率ｎａから第３屈折率ｎｃのうち、第１屈折率ｎａが最も小さい値であり、第３屈折率ｎｃが最も大きい値である。すなわち、第１屈折率ｎａから第３屈折率ｎｃは、以下に示される関係を満たす。
ｎａ＜ｎｂ＜ｎｃ
【０１７６】
第１レンズ１１１の曲率半径、第２レンズ１１２の曲率半径、および、第３レンズ１１３の曲率半径は互いに等しい値であり、複数のマイクロレンズ１１０では、屈折率が小さいマイクロレンズ１１０ほど焦点距離が大きい。第１レンズ１１１の焦点距離が第１の焦点距離であり、第２レンズ１１２の焦点距離が第２の焦点距離であり、第３レンズ１１３の焦点距離が第３の焦点距離であり、第１の焦点距離が最も大きく、第３の焦点距離が最も小さい。
【０１７７】
複数のマイクロパターン３１は、第１レンズ１１１の焦平面上に位置している。すなわち、パターン層１１とレンズ層１２とが積み重なる方向において、マイクロパターン３１とマイクロレンズ１１０との間の距離は、第１の焦点距離である。第１レンズ１１１が第１焦点レンズの一例であり、第２レンズ１１２および第３レンズ１１３が、第２焦点レンズの一例である。
【０１７８】
第１の形態において、第２レンズ１１２および第３レンズ１１３の各々では、焦平面上にて結像する領域が大きくなり、すなわち、第２レンズ１１２および第３レンズ１１３の各々によって拡大された像の解像度が、第１レンズ１１１によって拡大された像の解像度よりも低くなる。結果として、マイクロパターン３１の拡大像である第１情報のうち、第１レンズ１１１によって拡大された部分は鮮明である一方で、第２レンズ１１２によって拡大された部分、および、第３レンズ１１３によって拡大された部分の各々はぼやける。
【０１７９】
［第２の形態］
図２２を参照して第２の形態を説明する。
図２２が示すように、表示体１００Ｂの備える複数のマイクロレンズ１２０は、第１曲率半径ａ１を有する第１レンズ１２１、第２曲率半径ａ２を有する第２レンズ１２２、および、第３曲率半径ａ３を有する第３レンズ１２３を含んでいる。第１曲率半径ａ１から第３曲率半径ａ３のうち、第１曲率半径ａ１が最も小さい値であり、第３曲率半径ａ３が最も大きい値である。すなわち、第１曲率半径ａ１から第３曲率半径ａ３は、以下に示される関係を満たす。
ａ１＜ａ２＜ａ３
【０１８０】
第１レンズ１２１の屈折率、第２レンズ１２２の屈折率、および、第３レンズ１２３の屈折率は互いに等しい値であり、複数のマイクロレンズ１２０では、曲率半径が大きいマイクロレンズ１２０ほど焦点距離が大きい。第１レンズ１２１の焦点距離が第１の焦点距離であり、第２レンズ１２２の焦点距離が第２の焦点距離であり、第３レンズ１２３の焦点距離が第３の焦点距離であり、第３の焦点距離が最も大きく、第１の焦点距離が最も小さい。
【０１８１】
複数のマイクロパターン３１は、第２レンズ１２２の焦平面上に位置している。すなわち、パターン層１１とレンズ層１２とが積み重なる方向において、マイクロパターン３１とマイクロレンズ１２０との間の距離は、第２の焦点距離である。第２レンズ１２２が第１焦点レンズの一例であり、第１レンズ１２１および第３レンズ１２３が第２焦点レンズの一例である。
【０１８２】
第２の形態において、第１レンズ１２１および第３レンズ１２３の各々では、焦平面上にて結像する領域が大きくなり、すなわち、第１レンズ１２１および第３レンズ１２３の各々によって拡大された像の解像度が、第２レンズ１２２によって拡大された像の解像度よりも低くなる。結果として、マイクロパターン３１の拡大像である第１情報のうち、第２レンズ１２２によって拡大された部分は鮮明である一方で、第１レンズ１２１によって拡大された部分、および、第３レンズ１２３によって拡大された部分の各々はぼやける。
【０１８３】
［第３の形態］
図２３から図２５を参照して第３の形態を説明する。図２４および図２５の各々は、レンズ層１２の第２面１２ｂと対向する平面視における平面構造であって、第２面１２ｂのうち、複数のマイクロレンズが位置する領域を示している。また、図２４および図２５では、図示の便宜上から、複数のマイクロレンズの一部を覆うインキ部の図示が省略され、かつ、表示体の平面構造とともに、表示体が表示する第１情報が示されている。
【０１８４】
図２３が示すように、複数のマイクロレンズ１３０は、複数の第１レンズ１３１と複数の第２レンズ１３２とから構成され、第１レンズ１３１は第１屈折率を有し、第２レンズ１３２は、第１屈折率とは異なる第２屈折率を有している。第１レンズ１３１は第１焦点レンズの一例であり、第２レンズ１３２は第２焦点レンズの一例である。複数のマイクロパターン１４０は、複数の第１パターン１４１と複数の第２パターン１４２とから構成され、各第１レンズ１３１は第１パターン１４１に１つずつ重なって、第１パターン１４１の一部を拡大し、各第２レンズ１３２は第２パターン１４２に１つずつ重なって、第２パターン１４２の一部を拡大する。第１パターン１４１および第２パターン１４２は、第１レンズ１３１の焦平面上に位置している。
【０１８５】
なお、複数のマイクロレンズ１３０において、複数の第１レンズ１３１が第１レンズ群１３１Ｇを構成し、複数の第２レンズ１３２が第２レンズ群１３２Ｇを構成している。表示体１００Ｃは、複数の第１レンズ群１３１Ｇを含み、各第１レンズ群１３１Ｇが、１つの第１パターン１４１の拡大像を形成する。また、表示体１００Ｃは、複数の第２レンズ群１３２Ｇを含み、各第２レンズ群１３２Ｇが、１つの第２パターン１４２の拡大像を形成する。つまり、表示体１００Ｃの形成する第１情報には、第１パターン１４１の拡大像であり第１部分の一例である第１パターン情報と、第２パターン１４２の拡大像であり第２部分の一例である第２パターン情報とが含まれる。
【０１８６】
図２４が示すように、表示体１００Ｃのうち、各第１レンズ群１３１Ｇが、相対的に鮮明な１つの第１パターン情報１５１を形成し、各第２レンズ群１３２Ｇが、相対的にぼやけた第２パターン情報１５２を形成する。そのため、表示体１００Ｃの観察者には、複数の第１パターン情報１５１が視認されやすい一方で、複数の第２パターン情報１５２は視認されにくい。本実施形態において、第１パターン情報１５１は、太陽を示す図形であり、第２パターン情報１５２は、三日月形状を有する図形である。
【０１８７】
なお、第２レンズ１３２における第２屈折率は、任意に設定することが可能であるが、第２屈折率は、第１パターン情報１５１に比べて、第２パターン情報１５２が大幅に不鮮明になるように設定されることが好ましい。
【０１８８】
図２５が示すように、第１レンズ１３１の屈折率と等しい屈折率を有した液体中に表示体１００Ｃを浸す、あるいは、第１レンズ１３１の屈折率と等しい屈折率を有した液体をレンズ層１２の第２面１２ｂに塗布または噴霧して、複数のマイクロレンズ１３０に液体を付着させる。これにより、各第１レンズ１３１は、レンズとしての機能を失うため、各第１パターン情報１５１が表示されない。
【０１８９】
一方で、各第２レンズ１３２は、レンズとしての機能を保持しているため、複数の第２パターン情報１５２が表示される。第２レンズ１３２は、液体が付着したときに第２パターン１４２に対して焦点が合うように構成されている。言い換えれば、液体は、第２レンズ１３２の焦点を第２パターン１４２に合わせ、かつ、第１レンズ１３１の焦点を第１パターン１４１からずらすように構成されている。
【０１９０】
これにより、複数のマイクロレンズ１３０に対して第１レンズ１３１の屈折率と等しい屈折率を有した液体が付着したとき、複数の第１パターン情報１５１は表示されない。すなわち、付着後の第１パターン情報１５１の鮮明さが、付着前の第１パターン情報１５１の鮮明さよりも低い。一方で、複数の第２パターン情報１５２は、鮮明な状態で表示される。すなわち、付着後の第２パターン情報１５２の鮮明さが、付着前の第２パターン情報１５２の鮮明さよりも高くなる。
【０１９１】
こうした表示体１００Ｃの真贋判定方法では、第２面１２ｂのうち、少なくとも複数のマイクロレンズ１３０に上述した液体を付着させる。そして、付着後の第１パターン情報１５１の鮮明さが、付着前の第１パターン情報１５１の鮮明さよりも低く、かつ、付着後の第２パターン情報１５２の鮮明さが、付着前の第２パターン情報１５２の鮮明さよりも高いか否かを判断する。
【０１９２】
なお、表示体１００Ｃの真贋判定方法では、液体ではなく、液状の樹脂であって、第１レンズ１３１の屈折率と等しい屈折率を有した樹脂を用いて行うこともできる。なお、液体および液状の樹脂の各々が液状体の一例である。樹脂は、熱硬化性樹脂、および、紫外線硬化性樹脂などであればよい。
【０１９３】
樹脂を用いた表示体１００Ｃの真贋判定方法では、液状の樹脂をレンズ層１２の第２面１２ｂに付着させ、樹脂を付着させる前と樹脂を付着させた後との間において、表示体１００Ｃの表示する情報が変わるか否かを判断する。このとき、液状の樹脂の中に表示体１００Ｃを浸すことによって、レンズ層１２の第２面１２ｂに樹脂を付着させてもよいし、樹脂をレンズ層１２の第２面１２ｂに塗布してもよい。
【０１９４】
表示体１００Ｃに付着した樹脂は、溶剤で樹脂を溶解することによって、表示体１００Ｃから取り除くことができる。ただし、表示体１００Ｃのレンズ層１２の形成材料も樹脂であるため、第２面１２ｂに付着した樹脂とともに、レンズ層１２も溶解する場合がある。
【０１９５】
そのため、表示体１００Ｃの真贋判定に樹脂を用いる場合には、以下の方法によって表示体１００Ｃの真贋を判定してもよい。すなわち、液状の樹脂をレンズ層１２の第２面１２ｂに付着させた後、第２面１２ｂに付着させた樹脂を加熱することによって、または、樹脂に対して紫外線を照射することによって樹脂を硬化させる。
【０１９６】
次いで、樹脂を付着させる前と樹脂を付着させた後との間において、表示体１００Ｃの表示する情報が変わるか否かを判断する。なお、第２面１２ｂに付着させた樹脂を硬化させた場合には、表示体１００Ｃの状態を第２面１２ｂに対して樹脂を付着させる前の状態に戻すことはできない。そのため、樹脂を用いた表示体１００Ｃの真贋判定は、表示体１００Ｃが真贋判定を一度のみ行われればよい表示体１００Ｃであるとき、例えば、表示体１００Ｃがブランドプロテクション用の表示体であるときなどに有効である。
【０１９７】
以上説明したように、第４実施形態の表示体によれば、上述した（１）から（６）の効果に加えて、以下の効果を得ることができる。
（９）マイクロパターンが拡大された像のうち、第１焦点レンズによって拡大された部分は鮮明である一方で、第２焦点レンズによって拡大された部分はぼやける。つまり、第１情報が鮮明さの異なる部分を含むため、第１情報の全体における鮮明さが同じである構成と比べて、表示体はより複雑な第１情報を表示することができる。
【０１９８】
（１０）液状体の付着によって、第１情報のうち、第１焦点レンズによって拡大された部分である第１部分における鮮明さが付着前よりも低くなり、かつ、第２焦点レンズによって拡大された第２部分における鮮明さが付着前よりも高くなるか否かを判断することによって、表示体の真贋を判定することができる。
【０１９９】
なお、上述した第４実施形態は、以下のように適宜変更して実施することもできる。
・第１の形態では、複数のマイクロレンズ１１０は、屈折率が互いに異なる２種のみのマイクロレンズから構成されてもよいし、屈折率が互いに異なる４種以上のマイクロレンズを含んでいてもよい。
【０２００】
・第２の形態では、複数のマイクロレンズ１２０は、曲率半径が互いに異なる２種のみのマイクロレンズから構成されてもよいし、屈折率が互いに異なる４種以上のマイクロレンズを含んでいてもよい。
・第３の形態では、表示体１００Ｃは、１つの第１レンズ群１３１Ｇと、１つの第２レンズ群１３２Ｇとを備える構成であってもよい。
【０２０１】
・第３の形態では、複数のマイクロレンズ１３０は、屈折率が互いに異なる３種以上のマイクロレンズを含んでいてもよく、こうした構成では、屈折率が等しい複数のマイクロレンズが、１つのレンズ群を構成していればよい。
【０２０２】
［第５実施形態］
図２６および図２７を参照して、表示体の第５実施形態を説明する。第５実施形態は、第１実施形態と比べて、レンズ層の構成が異なる。そのため、以下では、こうした相違点を詳しく説明するとともに、第５実施形態のうち、第１実施形態と共通する構成には、第１実施形態と同じ符号を付すことによって、その詳しい説明を省略する。
【０２０３】
［表示体の構成］
図２６を参照して表示体の構成を説明する。
図２６が示すように、表示体１６０が備えるパターン層１６１は、マイクロパターン３１が位置し、レンズ層１６２の第１面１６２ａに接する面を含む層形状を有した本体部１６１ａを備えている。本体部１６１ａの形成材料は紙である。レンズ層１６２の形成材料は樹脂であり、レンズ層１６２は本体部１６１ａの全体を覆っている。
【０２０４】
図２７が示すように、レンズ層１６２のうち、パターン層１６１に接する第１面１６２ａとは反対側の面であって、第１面１６２ａに対する本体部１６１ａとは反対側に位置する面が第２面１６２ｂである。第２面１６２ｂ上には、複数のマイクロレンズ２１が位置し、第２面１６２ｂのうち、複数のマイクロレンズ２１が位置する部分とは異なる部分の上には、撥液部２２が位置している。複数のマイクロレンズ２１、および、撥液部２２を含むレンズ層１６２の形成材料は、光透過性を有する樹脂である。複数のマイクロレンズ２１の一部は、インキ部２３で覆われている。
【０２０５】
レンズ層１６２において、第１面１６２ａと第２面１６２ｂとの間の距離、すなわち、レンズ層１６２において、マイクロレンズ２１を除くパターン層１６１を覆う部分の厚さは、各マイクロレンズ２１の焦点が、各マイクロレンズ２１と重なるマイクロパターン３１に合うように設定されている。
【０２０６】
表示体１６０が紙幣であるとき、本体部１６１ａの厚さは、１００μｍ程度であることが好ましく、レンズ層１６２を含む表示体１６０の全体における厚さは、１００μｍよりも大きく、１２０μｍ以下程度であることが好ましい。
【０２０７】
なお、マイクロレンズ２１の屈折率や曲率半径によって、マイクロレンズの焦点距離、すなわち、レンズ層１６２における第１面１６２ａと第２面１６２ｂとの間の距離が変わる。そのため、本体部１６１ａの厚さは、マイクロレンズ２１の屈折率および曲率半径に応じて、表示体１６０の全体の厚さが上述した範囲内に含まれるように設定されればよい。
【０２０８】
以上説明したように、第５実施形態の表示体によれば、上述した（１）から（６）の効果に加えて、以下の効果を得ることができる。
（１１）本体部１６１ａがレンズ層１６２で覆われているため、本体部１６１ａがレンズ層１６２によって覆われていない構成と比べて、本体部１６１ａに傷が付いたり、本体部１６１ａが破れたりすることが抑えられる。また、表示体１６０が液体に曝されたとき、本体部１６１ａに液体が接することで、本体部１６１ａが劣化することが抑えられる。
【０２０９】
［第５実施形態の変形例］
なお、上述した第５実施形態は、以下のように適宜変更して実施することもできる。
・図２８および図２９を参照して、第５実施形態における１つの変形例を説明する。
図２８が示すように、表示体１６０Ａにおいて、本体部１６１ａは、本体部１６１ａの厚さ方向において本体部１６１ａを貫通する貫通孔１６１ｂを有している。
【０２１０】
図２９が示すように、本体部１６１ａに位置するマイクロパターンは第１パターン１６３Ａであり、第１パターン１６３Ａに重なるマイクロレンズは、第１レンズ１６４Ａである。レンズ層１６２において、本体部１６１ａに対して第２面１６２ｂとは反対側の面が第３面１６２ｃである。
【０２１１】
レンズ層１６２は、第３面１６２ｃを含む第１レンズ部１６２Ａと、第２面１６２ｂを含む第２レンズ部１６２Ｂとから構成され、第２面１６２ｂと対向する平面視において、第１レンズ部１６２Ａと第２レンズ部１６２Ｂとの各々のうち、貫通孔１６１ｂと重なる部分が、貫通孔１６１ｂ内に向けて窪んで互いに接している。
【０２１２】
第１レンズ部１６２Ａのうち、貫通孔１６１ｂに向けて窪む部分が第１窪み部１６２Ａ１であり、第２レンズ部１６２Ｂのうち、貫通孔１６１ｂに向けて窪む部分が第２窪み部１６２Ｂ１である。第１窪み部１６２Ａ１と第２窪み部１６２Ｂ１とは、貫通孔１６１ｂの内部において互いに接している。
【０２１３】
レンズ層１６２は、第２面１６２ｂの中で、貫通孔１６１ｂに向けて窪む部分に位置する複数の第２レンズ１６４Ｂを備えている。複数の第２レンズ１６４Ｂは、第２面１６２ｂのうち、第２窪み部１６２Ｂ１が含む部分に位置し、かつ、第２レンズ１６４Ｂの曲率半径は、第１レンズ１６４Ａの曲率半径よりも大きい。
【０２１４】
レンズ層１６２は、さらに、第３面１６２ｃに位置し、レンズ層１６２の厚さ方向において、第２レンズ１６４Ｂに対して１つずつ重なる第２パターン１６３Ｂを備えている。第２パターン１６３Ｂの形状は、第１パターン１６３Ａの形状と異なっている。
【０２１５】
複数の第２レンズ１６４Ｂは、各第２レンズ１６４Ｂが拡大した第２パターン１６３Ｂの像の集合によって、第１情報とは異なる第５情報を形成するように構成されている。すなわち、第２レンズ１６４Ｂの焦点距離は、第２レンズ１６４Ｂの焦点が第３面１６２ｃに合うように設定され、第２パターン１６３Ｂが第３面１６２ｃに位置することにより、モアレ効果によって、第２パターン１６３Ｂの拡大像が表示される。
【０２１６】
上記構成によれば、以下に記載の効果を得ることができる。
（１２）表示体１６０Ａのうち、第２面１６２ｂと対向する平面視において、パターン層１６１が位置しない部分においても、第２マイクロレンズによって拡大された像である第５情報を形成することができる。
【０２１７】
（１３）表示体１６０が、モアレ効果による拡大像として第１情報とは異なる第５情報を表示することができる分、表示体１６０の表示することができる情報がより複雑になる。
【０２１８】
・表示体１６０Ａを形成するとき、本体部１６１ａの全体を覆うレンズ層１６２は、以下のように形成される。すなわち、第１レンズ部１６２Ａを含む第１樹脂層と、第２レンズ部１６２Ｂを含む第２樹脂層であって、複数の第１レンズ１６４Ａおよび複数の第２レンズ１６４Ｂを有する第２樹脂層とを準備する。次いで、本体部１６１ａの１つの面に対して第１樹脂層を貼り付け、かつ、本体部１６１ａの１つの面とは反対側の他の面に対して第２樹脂層を貼り付ける。その後、第１樹脂層のうちで本体部１６１ａから外側にはみ出す部分と、第２樹脂層のうちで本体部１６１ａから外側にはみ出す部分とを貼り合わせることによって、本体部１６１ａの全体を覆うレンズ層１６２が形成される。
【０２１９】
第２パターン１６３Ｂは、第１樹脂層と第２樹脂層とによってレンズ層１６２が形成される前に第１樹脂層に形成されてもよいし、レンズ層１６２が形成された後にレンズ層１６２の第１窪み部１６２Ａ１に形成されてもよい。
【０２２０】
ただし、第２パターン１６３Ｂが第１樹脂層に予め形成されているときには、貫通孔１６１ｂにおける第１窪み部１６２Ａ１の窪み量と、第２窪み部１６２Ｂ１の窪み量とに応じて、第２レンズ１６４Ｂの位置に対する第２パターン１６３Ｂの位置が変わる。
【０２２１】
そのため、第２レンズ１６４Ｂの焦点の位置が、第２パターン１６３Ｂにおいて本来重なるべきではない部分に重なる場合もある。そして、第２パターン１６３Ｂの拡大像である第５情報が、所定の像の繰り返しであれば、表示体１６０Ａに対する第５情報の位置がずれるのみである一方で、第５情報が１つの像であれば、第５情報の一部が欠ける場合がある。
【０２２２】
これに対して、第２パターン１６３Ｂが、レンズ層１６２が形成された後にレンズ層１６２の第１窪み部１６２Ａ１に形成されるときには、第２レンズ１６４Ｂの位置に合わせて第２パターン１６３Ｂを配置することができる。それゆえに、表示体１６０Ａに対する第５情報の位置がずれることや、第５情報の一部が欠けることを抑えることができる。
【０２２３】
・図２８および図２９を参照して先に説明された表示体では、図３０が示すように、第２パターン１６３Ｂが、貫通孔１６１ｂの内部であって、第１窪み部１６２Ａ１と第２窪み部１６２Ｂ１との間に位置していてもよい。こうした表示体１６０Ｂでは、第２レンズ１６４Ｂは、第１レンズ１６４Ａと同じ焦点距離を有するマイクロレンズであればよい。
【０２２４】
・表示体１６０Ｂを形成するときには、上述した第１樹脂層と第２樹脂層との少なくとも一方に第２パターン１６３Ｂを予め形成し、本体部１６１ａに対して第１樹脂層と第２樹脂層とを貼り付け、かつ、第１樹脂層と第２樹脂層とを貼り合わせればよい。ただし、第２パターン１６３Ｂは、複数のマイクロレンズを有する第２樹脂層に形成することが好ましい。これにより、表示体１６０Ｂにおいて、第２レンズ１６４Ｂに対する第２パターン１６３Ｂの位置が、第１樹脂層と第２樹脂層とを本体部１６１ａに貼り付ける工程、および、第１樹脂層と第２樹脂層とを貼り合わせる工程に影響されにくい。
【０２２５】
・図２８から図３０を参照して先に説明された表示体１６０Ａ，１６０Ｂにおいて、第１パターン１６３Ａの色と、第２パターン１６３Ｂの色とは互いに異なることが好ましい。例えば、第１パターン１６３Ａの色と第２パターン１６３Ｂの色とは、インキや顔料を用いて互いに異なる色とすることができる。また、第１パターン１６３Ａと第２パターン１６３Ｂとが回折格子および散乱構造などの微細な凹凸構造であるときには、以下の構成により、第１パターン１６３Ａの色と、第２パターン１６３Ｂの色とを互いに異なる色とすることができる。
【０２２６】
すなわち、第１パターン１６３Ａにおける凹凸構造と、第２パターン１６３Ｂにおける凹凸構造とを互いに異ならせることにより、第１パターン１６３Ａの色と、第２パターン１６３Ｂの色とを互いに異なる色とすることができる。こうした構成によれば、第１パターン１６３Ａの拡大像と第２パターン１６３Ｂの拡大像との差異がより顕著になる。
【０２２７】
・図２８から図３０を参照して先に説明された表示体において、第１パターン１６３Ａと第２パターン１６３Ｂとは、同じ形状を有したパターンであってもよい。
【符号の説明】
【０２２８】
１０，６０，８０，１００Ａ，１００Ｂ，１００Ｃ，１６０，１６０Ａ，１６０Ｂ…表示体、１１，１６１…パターン層、１２，１６２…レンズ層、１２ａ，１６２ａ…第１面、１２ｂ，１６２ｂ…第２面、１２ｂ１，６１ａ…第１部分、１２ｂ２，６１ｂ…第２部分、２１，１１０，１２０，１３０…マイクロレンズ、２１Ａ，１１１，１２１，１３１，１６４Ａ…第１レンズ、２１Ｂ，１１２，１２２，１３２，１６４Ｂ…第２レンズ、２２，６１，８１…撥液部、２２ａ，２２ａ１，２２ａ２，２２ａ３…凸部、２３，６２，８２…インキ部、３１，１４０…マイクロパターン、４０…物体、４０Ｓ，４１Ｓ，４２Ｓ…表面、４１…第１物質、４２…第２物質、５１…第１情報、５２，７１，９１…第２情報、５３，７２，９２…第３情報、７３…第４情報、１１３，１２３…第３レンズ、１３１Ｇ…第１レンズ群、１３２Ｇ…第２レンズ群、１４１，１６３Ａ…第１パターン、１４２、１６３Ｂ…第２パターン、１５１…第１パターン情報、１５２…第２パターン情報、１６１ａ…本体部、１６１ｂ…貫通孔、１６２Ａ…第１レンズ部、１６２Ａ１…第１窪み部、１６２Ｂ…第２レンズ部、１６２Ｂ１…第２窪み部、１６２ｃ…第３面。
【図１】
0006676917.tif 000002
【図２】
0006676917.tif 000003
【図３】
0006676917.tif 000004
【図４】
0006676917.tif 000005
【図５】
0006676917.tif 000006
【図６】
0006676917.tif 000007
【図７】
0006676917.tif 000008
【図８】
0006676917.tif 000009
【図９】
0006676917.tif 000010
【図１０】
0006676917.tif 000011
【図１１】
0006676917.tif 000012
【図１２】
0006676917.tif 000013
【図１３】
0006676917.tif 000014
【図１４】
0006676917.tif 000015
【図１５】
0006676917.tif 000016
【図１６】
0006676917.tif 000017
【図１７】
0006676917.tif 000018
【図１８】
0006676917.tif 000019
【図１９】
0006676917.tif 000020
【図２０】
0006676917.tif 000021
【図２１】
0006676917.tif 000022
【図２２】
0006676917.tif 000023
【図２３】
0006676917.tif 000024
【図２４】
0006676917.tif 000025
【図２５】
0006676917.tif 000026
【図２６】
0006676917.tif 000027
【図２７】
0006676917.tif 000028
【図２８】
0006676917.tif 000029
【図２９】
0006676917.tif 000030
【図３０】
0006676917.tif 000031